(57)【特許請求の範囲】
【請求項１】
輻輳報告をポリシ及び課金ルール機能ネットワーク要素（ＰＣＲＦ）に送信する段階であって、前記輻輳報告は、少なくとも１つのユーザ機器における輻輳状態のユーザ機器についての情報と、少なくとも１つのユーザ機器における過剰にサービス提供された状態のユーザ機器についての情報と、前記輻輳状態の前記ユーザ機器及び前記過剰にサービス提供された状態の前記ユーザ機器によって占有された複数の無線周波数リソースについての情報とを備える、段階と、
前記ＰＣＲＦによって送信された無線周波数リソース調整ポリシを受信する段階と、
前記輻輳状態の前記ユーザ機器及び前記過剰にサービス提供された状態の前記ユーザ機器に対して前記無線周波数リソース調整ポリシを実行する段階と、
を備え、
前記ＰＣＲＦによって送信された無線周波数リソース調整ポリシを受信する前記段階は、
前記ＰＣＲＦによって送信された調整予想結果諮詢要求情報を受信する段階であって、前記調整予想結果諮詢要求情報は前記無線周波数リソース調整ポリシを備える、段階を有し、
前記輻輳状態の前記ユーザ機器及び前記過剰にサービス提供された状態の前記ユーザ機器に対して前記無線周波数リソース調整ポリシを実行する前記段階は、
前記無線周波数リソース調整ポリシについて、予想される調整を実行する段階と、
予想される調整結果を前記ＰＣＲＦに送信する段階と、を有する、
アクセスネットワーク輻輳制御方法。
【請求項２】
輻輳報告を前記ＰＣＲＦに送信する前記段階の前に、
前記輻輳状態の前記ユーザ機器及び前記過剰にサービス提供された状態の前記ユーザ機器によって占有された複数の無線周波数リソースについての前記情報に従って、及び、特定のアルゴリズムに従って、対応する制限を超える前記過剰にサービス提供された状態の前記ユーザ機器の前記複数の無線周波数リソースの一部を前記輻輳状態の前記ユーザ機器に割り当てる段階を更に備え、
それに対応して、輻輳報告を前記ＰＣＲＦに送信する前記段階は、
無線周波数リソース事前調整結果を前記輻輳報告として前記ＰＣＲＦに送信する段階であって、前記無線周波数リソース事前調整結果は、事前調整後の、依然として前記輻輳状態のユーザ機器についての情報、及び、依然として前記過剰にサービス提供された状態のユーザ機器についての情報と、事前調整後の、依然として前記輻輳状態の前記ユーザ機器、及び依然として前記過剰にサービス提供された状態の前記ユーザ機器によって占有された複数の無線周波数リソースについての情報とを備える、段階を有する、請求項１に記載の方法。
【請求項３】
前記輻輳状態の前記ユーザ機器及び前記過剰にサービス提供された状態の前記ユーザ機器に対して前記無線周波数リソース調整ポリシを実行する前記段階は、さらに、
前記予想される調整結果に従って前記ＰＣＲＦによって送信されたポリシ実行指示を受信する段階と、
前記輻輳状態の前記ユーザ機器及び前記過剰にサービス提供された状態の前記ユーザ機器に対して、前記ポリシ実行指示によって指示された前記無線周波数リソース調整ポリシを実行する段階とを有する、請求項１に記載の方法。
【請求項４】
前記輻輳状態の前記ユーザ機器及び前記過剰にサービス提供された状態の前記ユーザ機器によって占有された複数の無線周波数リソースについての前記情報は、前記輻輳状態の前記ユーザ機器の平均レート及び前記過剰にサービス提供された状態の前記ユーザ機器の平均レートである、又は、前記輻輳状態の前記ユーザ機器の輻輳度によって、及び、前記過剰にサービス提供された状態の前記ユーザ機器のサービス提供過剰度によって表され、
前記輻輳度＝前記輻輳状態の前記ユーザ機器の前記平均レート／最小レート、であり、
前記サービス提供過剰度＝前記過剰にサービス提供された状態の前記ユーザ機器の前記平均レート／制限されたレート、であり、
前記制限されたレートは、前記ＰＣＲＦの選択ポリシに従って少なくとも１つの制限されたレートから決定される、請求項１から３の何れか一項に記載の方法。
【請求項５】
基地局デバイスによって送信された輻輳報告を受信する段階であって、前記輻輳報告は、少なくとも１つのユーザ機器における輻輳状態のユーザ機器についての情報と、少なくとも１つのユーザ機器における過剰にサービス提供された状態のユーザ機器についての情報と、前記輻輳状態の前記ユーザ機器及び前記過剰にサービス提供された状態の前記ユーザ機器によって占有された複数の無線周波数リソースについての情報とを備える、段階と、
前記輻輳報告及びユーザサービスポリシに従って、調整予想結果諮詢要求情報を生成する段階であって、前記調整予想結果諮詢要求情報は、前記輻輳状態の前記ユーザ機器及び前記過剰にサービス提供された状態の前記ユーザ機器において無線周波数リソース調整を実行するポリシを有する、段階と、
前記調整予想結果諮詢要求情報を前記基地局デバイスに送信する段階と、
を備え、
前記輻輳状態の前記ユーザ機器及び前記過剰にサービス提供された状態の前記ユーザ機器に対する前記無線周波数リソース調整を実行するポリシの実行は、
前記無線周波数リソース調整を実行するポリシについて、予想される調整を前記基地局デバイスにより実行する段階と、
予想される調整結果を前記基地局デバイスから受信する段階と、を有する、
アクセスネットワーク輻輳制御方法。
【請求項６】
前記輻輳状態の前記ユーザ機器及び前記過剰にサービス提供された状態の前記ユーザ機器に対する前記無線周波数リソース調整を実行するポリシの前記実行は、さらに、前記予想される調整結果に従って前記基地局デバイスに、ポリシ実行指示を送信する段階を有する、請求項５に記載のアクセスネットワーク輻輳制御方法。
【請求項７】
前記無線周波数リソース調整を実行するポリシは、対応する制限を超える前記過剰にサービス提供された状態の前記ユーザ機器の前記複数の無線周波数リソースの一部を、前記輻輳状態の前記ユーザ機器に割り当てるよう、又は、前記輻輳状態の前記ユーザ機器における最も低い優先度を有するユーザ機器のサービスストリームの送信を停止するよう前記基地局デバイスに命令すべく使用される、請求項５または６に記載の方法。
【請求項８】
輻輳報告をポリシ及び課金ルール機能ネットワーク要素（ＰＣＲＦ）に送信する第１の送信ユニットであって、前記輻輳報告は、少なくとも１つのユーザ機器における輻輳状態のユーザ機器についての情報と、少なくとも１つのユーザ機器における過剰にサービス提供された状態のユーザ機器についての情報と、前記輻輳状態の前記ユーザ機器及び前記過剰にサービス提供された状態の前記ユーザ機器によって占有された複数の無線周波数リソースについての情報とを備える、第１の送信ユニットと、
前記ＰＣＲＦによって送信された無線周波数リソース調整ポリシを受信する第１の受信ユニットと、
前記輻輳状態の前記ユーザ機器及び前記過剰にサービス提供された状態の前記ユーザ機器に対して前記無線周波数リソース調整ポリシを実行する第１の実行ユニットと、
を備え、
前記第１の受信ユニットは具体的に、前記無線周波数リソース調整ポリシを備える、前記ＰＣＲＦによって送信された調整予想結果諮詢要求情報を受信し、
前記第１の実行ユニットは、
前記無線周波数リソース調整ポリシについて、予想される調整を実行する第２の実行ユニットと、
予想される調整結果を前記ＰＣＲＦに送信する第２の送信ユニットと、を有する、
基地局デバイス。
【請求項９】
前記輻輳状態の前記ユーザ機器及び前記過剰にサービス提供された状態の前記ユーザ機器によって占有された複数の無線周波数リソースについての前記情報に従って、及び特定のアルゴリズムに従って、対応する制限を超える前記過剰にサービス提供された状態の前記ユーザ機器の前記複数の無線周波数リソースの一部を、前記輻輳状態の前記ユーザ機器に割り当てる割り当てユニットを更に備え、
それに対応して、前記第１の送信ユニットは具体的に、
事前調整後の、依然として前記輻輳状態のユーザ機器についての情報、及び、依然として前記過剰にサービス提供された状態のユーザ機器についての情報と、事前調整後の、依然として前記輻輳状態の前記ユーザ機器、及び依然として前記過剰にサービス提供された状態の前記ユーザ機器によって占有された複数の無線周波数リソースについての情報とを備える無線周波数リソース事前調整結果を前記輻輳報告として前記ＰＣＲＦに送信する、
請求項８に記載の基地局デバイス。
【請求項１０】
前記第１の実行ユニットは、
前記予想される調整結果に従って前記ＰＣＲＦによって送信されたポリシ実行指示を受信する第２の受信ユニットを有し、
前記第２の実行ユニットは更に、前記輻輳状態の前記ユーザ機器及び前記過剰にサービス提供された状態の前記ユーザ機器に対して、前記ポリシ実行指示によって指示された前記無線周波数リソース調整ポリシを実行する、請求項８に記載の基地局デバイス。
【請求項１１】
前記輻輳状態の前記ユーザ機器及び前記過剰にサービス提供された状態の前記ユーザ機器によって占有された複数の無線周波数リソースについての前記情報は、前記輻輳状態の前記ユーザ機器の平均レート及び前記過剰にサービス提供された状態の前記ユーザ機器の平均レートである、又は、前記輻輳状態の前記ユーザ機器の輻輳度によって、及び、前記過剰にサービス提供された状態の前記ユーザ機器のサービス提供過剰度によって表され、
前記輻輳度＝前記輻輳状態の前記ユーザ機器の前記平均レート／最小レート、であり、
前記サービス提供過剰度＝前記過剰にサービス提供された状態の前記ユーザ機器の前記平均レート／制限されたレート、であり、
前記制限されたレートは、前記ＰＣＲＦの選択ポリシに従って、少なくとも１つの制限されたレートから決定される、請求項８から１０の何れか一項に記載の基地局デバイス。
【請求項１２】
基地局デバイスによって送信された輻輳報告を受信する受信ユニットであって、前記輻輳報告は、少なくとも１つのユーザ機器における輻輳状態のユーザ機器についての情報と、少なくとも１つのユーザ機器における過剰にサービス提供された状態のユーザ機器についての情報と、前記輻輳状態の前記ユーザ機器及び前記過剰にサービス提供された状態の前記ユーザ機器によって占有された複数の無線周波数リソースについての情報とを備える、受信ユニットと、
前記輻輳報告及びユーザサービスポリシに従って、調整予想結果諮詢要求情報を生成する生成ユニットであって、前記調整予想結果諮詢要求情報は、前記輻輳状態の前記ユーザ機器及び前記過剰にサービス提供された状態の前記ユーザ機器において無線周波数リソース調整を実行するポリシを有する、生成ユニットと、
前記調整予想結果諮詢要求情報を前記基地局デバイスに送信する送信ユニットと、
を備え、
前記輻輳状態の前記ユーザ機器及び前記過剰にサービス提供された状態の前記ユーザ機器に対する前記無線周波数リソース調整を実行するポリシの実行は、
前記無線周波数リソース調整を実行するポリシについて、予想される調整の前記基地局デバイスによる実行と、
予想される調整結果を前記基地局デバイスからの受信と、を含む、
ポリシ及び課金ルール機能ネットワーク要素（ＰＣＲＦ）。
【請求項１３】
前記輻輳状態の前記ユーザ機器及び前記過剰にサービス提供された状態の前記ユーザ機器に対する前記無線周波数リソース調整を実行する前記ポリシの前記実行は、さらに、前記予想される調整結果に従う、前記基地局デバイスへのポリシ実行指示の送信を含む、
請求項１２に記載のＰＣＲＦ。
【請求項１４】
前記無線周波数リソース調整を実行するポリシは、対応する制限を超える前記過剰にサービス提供された状態の前記ユーザ機器の前記複数の無線周波数リソースの一部を、前記輻輳状態の前記ユーザ機器に割り当てるよう、又は、前記輻輳状態の前記ユーザ機器における最も低い優先度を有するユーザ機器のサービスストリームの送信を停止するよう前記基地局デバイスに命令すべく使用される、請求項１２または１３に記載のＰＣＲＦ。
【発明の詳細な説明】
【技術分野】
【０００１】
本願は、２０１４年１０月３１日に中国特許庁へ出願された「ＡＣＣＥＳＳ  ＮＥＴＷＯＲＫ  ＣＯＮＧＥＳＴＩＯＮ  ＣＯＮＴＲＯＬ  ＭＥＴＨＯＤ，  ＢＡＳＥ  ＳＴＡＴＩＯＮ  ＤＥＶＩＣＥ，  ＡＮＤ  ＰＯＬＩＣＹ  ＡＮＤ  ＣＨＡＲＧＩＮＧ  ＲＵＬＥＳ  ＦＵＮＣＴＩＯＮ  ＮＥＴＷＯＲＫ  ＥＬＥＭＥＮＴ」と題する、中国特許出願第ＣＮ２０１４１０６０５５０４．６号の優先権を主張し、その全体が参照によって本明細書に組み込まれる。
【０００２】
本発明は、通信技術分野に関し、特に、アクセスネットワーク輻輳制御方法、基地局デバイス、並びにポリシ及び課金ルール機能ネットワーク要素に関する。
【背景技術】
【０００３】
無線通信が世界中で広く使用され、人々の間での通信を格段に容易にする。無線通信は、音声会話、ウェブページのダウンロード、及び同様のものを含む様々なサービスを提供できる。ロングタームエボリューション（Ｌｏｎｇ  Ｔｅｒｍ  Ｅｖｏｌｕｔｉｏｎ、ＬＴＥ）システムなどの典型的な無線通信システム又はネットワークは、基地局デバイスを使用してセルラセル内の複数のユーザ機器（Ｕｓｅｒ  Ｅｑｕｉｐｍｅｎｔ、ＵＥ）に無線リンクを提供して無線通信を実現する。この無線接続においては通常、共有の無線スペクトルが使用される。図１に示されるように、図１は、無線通信システムの概略図である。基地局デバイスが同一の無線周波数帯域を使用して、複数のＵＥ（図中で与えられている２個のＵＥ）に無線データ通信サービスを提供する。ＵＥによってサーバからダウンロードされたデータは、インターネットと、パケット・データ・ネットワーク・ゲートウェイ（Ｐａｃｋｅｔ  Ｄａｔａ  Ｎｅｔｗｏｒｋ  Ｇａｔｅｗａｙ、Ｐ−ＧＷ）と、サービング・ゲートウェイ（Ｓｅｒｖｉｎｇ  Ｇａｔｅｗａｙ、Ｓ−ＧＷ）とを通して基地局デバイスに届き、基地局デバイスによって複数のＵＥに送信される。グローバルシステム・フォー・モバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ（登録商標））などの従来の第２世代無線通信システムとは異なり、ＬＴＥシステムは、パケット交換（Ｐａｃｋｅｔ  Ｓｗｉｔｃｈｉｎｇ、ＰＳ）接続のみをサポートし、回線交換（Ｃｉｒｃｕｉｔ  Ｓｗｉｔｃｈｉｎｇ、ＣＳ）接続はもはやサポートしない。ＣＳ接続はデータ送信を確保するためにリソース予約を必要とする。たとえ送信端が、送信される必要があるデータを有していないとしても、予約されたリソースは解放され得ない。ＰＳ接続はリソース予約を必要としないので、無線スペクトルの利用効率を改善し得る。異なるクオリティ・オブ・サービス（Ｑｕａｌｉｔｙ  ｏｆ  Ｓｅｒｖｉｃｅ、ＱｏＳ）を提供すべく、ＬＴＥシステムは、異なるサービスを異なるトンネル（ｔｕｎｎｅｌ）にマッピングして、異なる処理を実現する。ＬＴＥでは異なる９つのＱｏＳ特性（ｃｈａｒａｃｔｅｒｉｓｔｉｃｓ）が規定されている。１‐４に等しいＱｏＳクラス識別子（ＱｏＳ  Ｃｌａｓｓ  Ｉｄｅｎｔｉｆｉｅｒ、ＱＣＩ）に対応する保証ビットレート（Ｇｕａｒａｎｔｅｅｄ  Ｂｉｔ  Ｒａｔｅ、ＧＢＲ）サービスが最小レート保証を提供し得る。例えば、従来の音声（ｃｏｎｖｅｎｔｉｏｎａｌ  ｖｏｉｃｅ）サービスが、保証された音声伝送レートを提供できる。このやり方では、通話の２パーティの音声品質は確保され得、通話の意味表現が誤判断されることはない。非ＧＢＲ（ｎｏｎ−ＧＢＲ）サービス（例えば、ＱＣＩが６‐９に等しい）は、最小レート保証を提供しない。故に、実際のシステムの稼働においては、非ＧＢＲサービスのレートは過度に低いことがあり、不満足なユーザ体験をもたらす。例えば、そのＱＣＩ＝７である非ＧＢＲタイプが、音声（ｖｏｉｃｅ）ユーザの通信接続で使用される場合、そのＱＣＩ＝１であるＧＢＲサービスの従来の音声と比べて、この場合では、通話の両パーティの通信レートは、正��な通話で保証される必要がある平均レートよりはるかに低くてよい。その結果、通話の受け手は、通話遅延及び不明瞭な音声などの現象を明らかに感じることがあり、会話体験もまた比較的不満足なものである。通信レートは必要な最小レートより低く、サービスストリームがスムーズに送信され得ず、その結果、アクセスネットワークにおいて輻輳が生じることがある。
【０００４】
結論として、現在解決される必要がある課題は、スムーズな通信を確保すべく、アクセスネットワークにおける輻輳をどのように制御するか、ということである。
【発明の概要】
【０００５】
本発明の実施形態は、アクセスネットワーク輻輳制御方法、基地局デバイス、並びに、ポリシ及び課金ルール機能ネットワーク要素を提供して、アクセスネットワークにおいて輻輳が生じた場合に輻輳を制御してスムーズな通信を確保する。
【０００６】
第１態様によると、本発明の実施形態はアクセスネットワーク輻輳制御方法を提供する。当該方法は、
輻輳報告をポリシ及び課金ルール機能ネットワーク要素ＰＣＲＦに送信する段階であって、当該輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む、段階と、
ＰＣＲＦによって送信された無線周波数リソース調整ポリシを受信する段階と、
輻輳状態のユーザ機器と過剰にサービス提供された状態のユーザ機器とに対して無線周波数リソース調整ポリシを実行する段階とを備える。
【０００７】
第１の可能な実装方式において、輻輳報告をＰＣＲＦに送信する段階の前に、当該方法は更に、
輻輳状態のユーザ機器と過剰にサービス提供された状態のユーザ機器とによって占有された複数の無線周波数リソースについての情報に従って、及び、特定のアルゴリズムに従って、対応する制限を超える、過剰にサービス提供された状態のユーザ機器の複数の無線周波数リソースの一部を輻輳状態のユーザ機器に割り当てる段階を備え、
それに対応して、輻輳報告をＰＣＲＦに送信する段階は、
無線周波数リソース事前調整結果を輻輳報告としてＰＣＲＦに送信する段階であって、当該無線周波数リソース事前調整結果は、事前調整後の、依然として輻輳状態のユーザ機器についての情報、及び、依然として過剰にサービス提供された状態のユーザ機器についての情報と、事前調整後の、依然として輻輳状態のユーザ機器、及び、依然として過剰にサービス提供された状態のユーザ機器によって占有された複数の無線周波数リソースについての情報とを含む、段階を有する。
【０００８】
第１態様を参照して、第２の可能な実装方式において、ＰＣＲＦによって送信された無線周波数リソース調整ポリシを受信する段階は、
ＰＣＲＦによって送信された調整予想結果諮詢要求情報を受信する段階であって、当該調整予想結果諮詢要求情報は無線周波数リソース調整ポリシを含む、段階を有し、
輻輳状態のユーザ機器と過剰にサービス提供された状態のユーザ機器とに対して無線周波数リソース調整ポリシを実行する段階は、
無線周波数リソース調整ポリシについて、予想される調整を実行する段階と、
予想される調整結果をＰＣＲＦに送信する段階と、
予想される調整結果に従ってＰＣＲＦによって送信されたポリシ実行指示を受信する段階と、
輻輳状態のユーザ機器と過剰にサービス提供された状態のユーザ機器とに対して、ポリシ実行指示によって指示された無線周波数リソース調整ポリシを実行する段階とを有する。
【０００９】
第１態様、又は第１態様の第１の可能な実装方式、又は第１態様の第２の可能な実装方式を参照して、第３の可能な実装方式において、輻輳状態のユーザ機器と過剰にサービス提供された状態のユーザ機器とによって占有された複数の無線周波数リソースについての情報は、輻輳状態のユーザ機器の平均レート及び過剰にサービス提供された状態のユーザ機器の平均レートである、又は、輻輳状態のユーザ機器の輻輳度によって、及び、過剰にサービス提供された状態のユーザ機器のサービス提供過剰度によって表され、ここで
輻輳度＝輻輳状態のユーザ機器の平均レート／最小レート、であり、
サービス提供過剰度＝過剰にサービス提供された状態のユーザ機器の平均レート／制限されたレート、であり、
当該制限されたレートは、ＰＣＲＦの選択ポリシに従って、少なくとも１つの制限されたレートから決定される。
【００１０】
第２態様によると、本発明の実施形態はアクセスネットワーク輻輳制御方法を提供する。当該方法は、
基地局デバイスによって送信された輻輳報告を受信する段階であって、当該輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む、段階と、
輻輳報告及びユーザサービスポリシに従って、輻輳状態のユーザ機器と過剰にサービス提供された状態のユーザ機器とにおいて無線周波数リソース調整を実行するポリシを生成する段階と、
無線周波数リソース調整ポリシを基地局デバイスに送信する段階とを備える。
【００１１】
第１の可能な実装方式において、無線周波数リソース調整ポリシは、対応する制限を超える、過剰にサービス提供された状態のユーザ機器の複数の無線周波数リソースの一部を輻輳状態のユーザ機器に割り当てる、又は、輻輳状態のユーザ機器における、最も低い優先度を有するユーザ機器のサービスストリームの送信を停止するよう基地局デバイスに命令すべく使用される。
【００１２】
第３態様によると、本発明の実施形態は基地局デバイスを提供する。当該基地局デバイスは、
輻輳報告をポリシ及び課金ルール機能ネットワーク要素ＰＣＲＦに送信するよう構成された第１の送信ユニットであって、当該輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む、第１の送信ユニットと、
ＰＣＲＦによって送信された無線周波数リソース調整ポリシを受信するよう構成された第１の受信ユニットと、
輻輳状態のユーザ機器と過剰にサービス提供された状態のユーザ機器とに対して無線周波数リソース調整ポリシを実行するよう構成された第１の実行ユニットとを備える。
【００１３】
第１の可能な実装方式において、基地局デバイスは更に、
輻輳状態のユーザ機器及び過剰にサービス提供された状態のユーザ機器によって占有された複数の無線周波数リソースについての情報に従って、及び、特定のアルゴリズムに従って、対応する制限を超える、過剰にサービス提供された状態のユーザ機器の複数の無線周波数リソースの一部を輻輳状態のユーザ機器に割り当てるよう構成された割り当てユニットを備え、
それに対応して、第１の送信ユニットは具体的に、
無線周波数リソース事前調整結果を輻輳報告としてＰＣＲＦに送信するよう構成されており、当該無線周波数リソース事前調整結果は、事前調整後の、依然として輻輳状態のユーザ機器についての情報、及び、依然として過剰にサービス提供された状態のユーザ機器についての情報と、事前調整後の、依然として輻輳状態のユーザ機器、及び依然として過剰にサービス提供された状態のユーザ機器によって占有された複数の無線周波数リソースについての情報とを含む。
【００１４】
第３態様を参照して、第２の可能な実装方式において、
第１の受信ユニットは具体的に、ＰＣＲＦによって送信された、無線周波数リソース調整ポリシを含む調整予想結果諮詢要求情報を受信するよう構成されており、
第１の実行ユニットは、
無線周波数リソース調整ポリシについて、予想される調整を実行するよう構成された第２の実行ユニットと、
予想される調整結果をＰＣＲＦに送信するよう構成された第２の送信ユニットと、
予想される調整結果に従ってＰＣＲＦによって送信されたポリシ実行指示を受信するよう構成された第２の受信ユニットとを有し、ここで、
第２の実行ユニットは更に、輻輳状態のユーザ機器と過剰にサービス提供された状態のユーザ機器とに対して、ポリシ実行指示によって示された無線周波数リソース調整ポリシを実行するよう構成されている。
【００１５】
第３態様、又は第３態様の第１の可能な実装方式、又は第３態様の第２の可能な実装方式を参照して、第３の可能な実装方式において、輻輳状態のユーザ機器及び過剰にサービス提供された状態のユーザ機器によって占有された複数の無線周波数リソースについての情報は、輻輳状態のユーザ機器の平均レート及び過剰にサービス提供された状態のユーザ機器の平均レートである、又は、輻輳状態のユーザ機器の輻輳度によって、及び過剰にサービス提供された状態のユーザ機器のサービス提供過剰度によって表され、ここで、
輻輳度＝輻輳状態のユーザ機器の平均レート／最小レート、であり、
サービス提供過剰度＝過剰にサービス提供された状態のユーザ機器の平均レート／制限されたレート、であり、
当該制限されたレートは、ＰＣＲＦの選択ポリシに従って、少なくとも１つの制限されたレートから決定される。
【００１６】
第４態様によると、本発明の実施形態はポリシ及び課金ルール機能ネットワーク要素を提供する。当該ポリシ及び課金ルール機能ネットワーク要素は、
基地局デバイスによって送信された輻輳報告を受信するよう構成された受信ユニットであって、当該輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む、受信ユニットと、
輻輳報告及びユーザサービスポリシに従って、輻輳状態のユーザ機器と過剰にサービス提供された状態のユーザ機器とにおいて無線周波数リソース調整を実行するポリシを生成するよう構成された生成ユニットと、
無線周波数リソース調整ポリシを基地局デバイスに送信するよう構成された送信ユニットとを備える。
【００１７】
第１の可能な実装方式において、無線周波数リソース調整ポリシは、対応する制限を超える、過剰にサービス提供された状態のユーザ機器の複数の無線周波数リソースの一部を輻輳状態のユーザ機器に割り当てる、又は、輻輳状態のユーザ機器における、最も低い優先度を有するユーザ機器のサービスストリームの送信を停止するよう基地局デバイスに命令すべく使用される。
【００１８】
本発明の実施形態において提供されるアクセスネットワーク輻輳制御方法、基地局デバイス、並びにポリシ及び課金ルール機能ネットワーク要素に従って、無線アクセスネットワークにおいて輻輳が生じた場合、スムーズな通信を確保すべく、輻輳状態のユーザ機器の複数の無線周波数リソース及び過剰にサービス提供された状態のユーザ機器の複数の無線周波数リソースが再配分されてよいことが分かるであろう。
【図面の簡単な説明】
【００１９】
本発明の実施形態、又は従来技術における技術的解決法をより明確に説明すべく、当該実施形態又は従来技術を説明するために必要とされる添付の図面を以下で簡潔に説明する。以下の説明における添付の図面は本発明の一部の実施形態に過ぎず、当業者ならば創造努力なくこれらの添付の図面から更に他の図面を導き出し得ることは明らかである。
【００２０】
【図１】無線通信システムの概略図である。
【００２１】
【図２ａ】本発明の一実施形態に係るアクセスネットワーク輻輳制御方法の概略フローチャートである。
【００２２】
【図２ｂ】図２ａに示された実施形態に係るアクセスネットワーク輻輳制御方法の更なる例の概略フローチャートである。
【００２３】
【図３ａ】本発明の一実施形態に係る別のアクセスネットワーク輻輳制御方法の概略フローチャートである。
【００２４】
【図３ｂ】図３ａに示された実施形態に係るアクセスネットワーク輻輳制御方法の更なる例の概略フローチャートである。
【００２５】
【図４ａ】本発明の一実施形態に係る更に別のアクセスネットワーク輻輳制御方法の概略フローチャートである。
【００２６】
【図４ｂ】図４ａに示された実施形態に係るアクセスネットワーク輻輳制御方法の更なる例の概略フローチャートである。
【００２７】
【図５】本発明の一実施形態に係る更に別のアクセスネットワーク輻輳制御方法の概略フローチャートである。
【００２８】
【図６】本発明の実施形態に係る基地局デバイスの概略構造図である。
【００２９】
【図７】本発明の一実施形態に係る別の基地局デバイスの概略構造図である。
【００３０】
【図８】本発明の一実施形態に係る更に別の基地局デバイスの概略構造図である。
【００３１】
【図９】本発明の一実施形態に係るポリシ及び課金ルール機能ネットワーク要素ＰＣＲＦの概略構造図である。
【００３２】
【図１０】本発明の一実施形態に係る更に別の基地局デバイスの概略構造図である。
【００３３】
【図１１】本発明の一実施形態に係る別のＰＣＲＦの概略構造図である。
【発明を実施するための形態】
【００３４】
本発明の実施形態における添付の図面を参照して、本発明の実施形態の技術的解決法を以下で明確かつ完全に説明する。説明される実施形態は、本発明の実施形態の一部に過ぎず、全てではないことは明らかである。創造努力なく本発明の実施形態に基づいて当業者によって得られた他の全ての実施形態は、本発明の保護範囲に含まれるものとする。
【００３５】
図２ａを参照すると、図２ａは、本発明の一実施形態に係るアクセスネットワーク輻輳制御方法の概略フローチャートである。当該方法は以下の段階を備える。
【００３６】
段階Ｓ１０１：輻輳報告をポリシ及び課金ルール機能ネットワーク要素ＰＣＲＦに送信する。ここで、輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む。
【００３７】
基地局デバイスによってサービス提供されるセルにおける複数のユーザ機器は、無線周波数リソースの割り当てられたセグメントを共有するので、全てのユーザ機器に対して無線周波数リソースが不均等に割り当てられた状況が生じる可能性がある。ユーザ機器がサービスストリームを送信し、かつ、ユーザ機器によって必要とされる最小の無線周波数リソースが満たされ得ない場合、アクセスネットワークのアップリンク／ダウンリンクにおいて輻輳が生じる可能性がある。すなわち、ユーザ機器はデータを基地局デバイスにスムーズに送信することができない、又は、ユーザ機器はデータを基地局デバイスからスムーズに受信することができない。
【００３８】
１つの基地局デバイスの割り当てられた無線周波数リソースは一定なので、基地局デバイスのいくつかのユーザ機器が輻輳状態になる、すなわち、現在占有されている無線周波数リソースは最小の無線周波数リソースより少ない。言い換えれば、これらのユーザ機器は輻輳状態にある。通常、他のいくつかのユーザ機器によって占有された複数の無線周波数リソースは、実際に必要な無線周波数リソースより多い、又は、システムによって規定された、制限された無線周波数リソースより多い、すなわち、これらのユーザ機器は過剰にサービス提供された状態にある。最小の無線周波数リソース及び制限された無線周波数リソースは、ＰＣＲＦによって規定されてよい。この段階において、基地局デバイスの輻輳報告がＰＣＲＦに送信され、輻輳報告は、輻輳状態のユーザ機器についての情報と、過剰にサービス提供された状態のユーザ機器についての情報と、これらのユーザ機器によって占有された複数の無線周波数リソースについての情報とを含む。ＰＣＲＦは輻輳報告を受信し、ポリシ及び課金ルール機能ネットワーク要素として機能するＰＣＲＦは、ユーザ機器の優先度、各ユーザ機器の最大の無線周波数リソース、又は同様のものなどの、１つの基地局デバイスの各ユーザ機器に対する特定のユーザサービスポリシを有する。ＰＣＲＦは、輻輳報告及びユーザサービスポリシに従って、輻輳状態のユーザ機器と過剰にサービス提供された状態のユーザ機器とにおいて無線周波数リソース調整を実行するポリシを生成し、当該無線周波数リソース調整ポリシを基地局デバイスに送信する。
【００３９】
段階Ｓ１０２：ＰＣＲＦによって送信された無線周波数リソース調整ポリシを受信する。
【００４０】
基地局デバイスは、ＰＣＲＦによって送信された無線周波数リソース調整ポリシを受信する。
【００４１】
段階Ｓ１０３：輻輳状態のユーザ機器と過剰にサービス提供された状態のユーザ機器に対して無線周波数リソース調整ポリシを実行する。
【００４２】
基地局デバイスは、ＰＣＲＦによって送信された無線周波数リソース調整ポリシを受信し、関連する輻輳状態のユーザ機器及び過剰にサービス提供された状態のユーザ機器に対してポリシを実行する。すなわち、過剰にサービス提供された状態のユーザ機器の余分な複数の無線周波数リソースの一部が輻輳状態のユーザ機器に割り当てられ、これにより、輻輳状態のユーザ機器はサービスストリームをスムーズに送信でき、全基地局デバイスによってサービス提供される複数のユーザ機器の輻輳が制御され、過剰にサービス提供された状態のユーザ機器のサービスストリーム送信は明らかに影響を受けるわけではない。
【００４３】
具体的な実装プロセスについては、図２ｂを参照されたい。図２ｂは、図２ａに示された実施形態に係るアクセスネットワーク輻輳制御方法の更なる例の概略フローチャートである。この例において、無線周波数リソースは平均レートとして表される。なぜなら、レートのレベルは、基本的に、割り当てられた無線周波数リソース数を表し得るからである。シャノンの定理によると、Ｃ＝Ｂｘｌｏｇ（１＋Ｓ／Ｎ）である。式中、Ｃはユーザ機器の通信レート又はスループットであり、Ｂは割り当てられた複数の無線周波数リソースであり、Ｓ／Ｎは信号対雑音比である。既存の無線通信システムは、基地局及びユーザ機器が、アップリンクチャネル状態及びダウンリンクチャネル状態、すなわち、信号対雑音比Ｓ／Ｎを測定する必要があることを既に規定している。故に、ユーザ機器に割り当てられた無線周波数リソースの状況は、通信レートに応じて知ることができる。
【００４４】
まず、当該フローによって提供されたサービス体験に必要な最小レート（基本レート、又は同様のもの）、及び、必要に応じてフローに対して設定された制限されたレートなどのパラメータを確保すべく、ＰＣＲＦは異なる複数のフロー優先度を基地局デバイスに送信する必要がある。本明細書におけるフローは、３ＧＰＰプロトコル（例えば、ＴＳ２３．２０３）において規定されたフローなどのサービスデータフローであってよい。フロー優先度は、ＱＣＩに対応する優先度（ｐｒｉｏｒｉｔｙ）クラス、又は、同一のＱＣＩを有する複数のフローの相対的な優先順位のクラスを含む。最小レート及び制限されたレートは、事前にＰＣＲＦによって規定されてよく、基地局デバイスに記憶されてよい、又は、シグナリングを使用してフロー優先度と共に基地局デバイスに送信されてよい。
【００４５】
ＰＣＲＦによって送信された上述のパラメータを基地局デバイスが受信した後、フローにおいて輻輳が生じたかどうかが、最小レート値に従って検出される。３ＧＰＰ  ＳＡ２の検討結果によると、ある期間において、ユーザデータ送信に必要な複数の無線アクセスネットワークリソースが無線アクセスネットワークによって実際に提供される容量を超えている場合、無線アクセスネットワークのユーザプレーンにおいて輻輳が生じていると考えられてよい。不満足なユーザサービス体験を回避すべく、無線アクセスネットワークは、ユーザ機器が特定のレートでサービスデータを送信して、上述の通話遅延などの現象を回避することを確保する必要がある。このレートが、ＰＣＲＦによって基地局デバイスに送信される、フローによって提供されるサービス体験を確保するために必要な最小レートである。実際のサービスプロセスにおいてユーザ機器の伝送レートが最小レートより小さい場合、フローにおいて輻輳が生じたと決定してよい。
【００４６】
既存の無線通信システムにおいて、例えばＬＴＥにおいて、ＰＳ接続の非ＧＢＲサービスのサービスが提供されない場合、当該システムはＧＢＲと同様のレート保証を提供しないので、基地局デバイスが共有の複数の無線周波数リソースをセルラセル内の異なるユーザ機器に割り当てる場合、割り当ては、数多くの種類の文献において研究されている、プロポーショナル・フェアネス・スケジューリング（ｐｒｏｐｏｒｔｉｏｎａｌ  ｆａｉｒｎｅｓｓ  ｓｃｈｅｄｕｌｉｎｇ、ＰＦＳ）・アルゴリズム、ラウンドロビン（ｒｏｕｎｄ−ｒｏｂｉｎ）アルゴリズム、及び同様のものなどのフェア規範（ｆａｉｒ  ｐｒｉｎｃｉｐｌｅ）に基づいて実行されてよい。これらのアルゴリズムによってスケジューリングされた結果は、周波数リソースは、異なる複数のＵＥの間で相対的かつ公平に割り当てられる、というものである。例えば、１０ＭＨｚの帯域幅を有する無線通信システムが１０個のＵＥにサービス提供する場合、各ＵＥに平等に割り当てられた複数の周波数リソースは、約１ＭＨｚである。しかしながら、ＵＥの異なる地理的位置がＵＥの異なるチャネル状態をもたらす、すなわち、信号対雑音比が異なる。故に、実際の通信レートもまた異なる。例えば、３ＧＰＰにおいて規定されたシステムエミュレーションにおいて、ＰＦＳスケジューリングが使用された場合、１９個のＵＥにサービス提供するセルラセルにおいて、各ＵＥの通信レートがテーブル１で示されることが分かるであろう。
【表１】
0006425797.tif 000002
【００４７】
１９個のＵＥの全てが媒体サービスを送信し、媒体によって必要とされる最小伝送レートが５００ｋｂｐｓである場合、その連続番号がそれぞれ３、１６、１７、及び１８であるいくつかのＵＥにおいて再生されたビデオで、確実にフレーム・フリージングが生じる。それとは逆に、その連続番号が１２及び１３である２個のＵＥは、より大きな画面を有する（タブレットコンピュータ、又は、ノートブックコンピュータなどの）モバイルデバイスにおいて、より高い解像度でストリーミング・メディア・プログラムをスムーズに再生することさえできる。
【００４８】
上述の輻輳決定方法によると、基地局デバイスは輻輳報告をＰＣＲＦに報告する必要がある。輻輳報告は、上述のシステムエミュレーション例では連続番号が３、１６、１７、及び１８のユーザ機器である、輻輳したユーザ機器のリスト、及び、単位がｋｂｐｓである当該輻輳したユーザ機器のレート、すなわち、３５０．５、３４６．５、４４８．３、及び３９７．９と、過剰にサービス提供された（ｏｖｅｒ−ｓｅｒｖｅｄ）のユーザ機器のリスト、及び当該過剰にサービス提供されたユーザ機器のレートとを含む。ＰＣＲＦによって決定された選択ポリシに従って、決定は、過剰にサービス提供されたユーザ機器（又は、スーパーレートのユーザ機器）を決定するための方法における制限されたレートに従って実行されてよい。例えば、ＰＣＲＦによって設定された制限されたレートが１．４Ｍｂｐｓである場合、その連続番号がそれぞれ６、１２、及び１３であるＵＥは、全て過剰にサービス提供されたユーザ機器である、又は、ＰＣＲＦが各ＵＥに対して別個の制限されたレートを設定するという前提では、ＵＥ５の制限されたレートが８００ｋｂｐｓであり、かつＵＥ７の制限されたレートが１Ｍｂｐｓであるとき、これらの２個のＵＥもまた過剰にサービス提供されたユーザ機器である。ＰＣＲＦによって決定された選択ポリシに従って、過剰にサービス提供されたユーザ機器はまた、フロー優先度を参照して決定されてよい。例えば、ＰＣＲＦによって設定された制限されたレートが１．４Ｍｂｐｓである場合、ＵＥ１のフロー優先度が、比較によって輻輳状態であるＵＥ３、ＵＥ１６、ＵＥ１７、又はＵＥ１８などの別のＵＥのフロー優先度より低いとき、ＵＥ１のレートは１．４Ｍｂｐｓに極めて近いので、ＵＥ１はまた、過剰にサービス提供されたユーザ機器として報告されてよい。或いは、ユーザ機器のどれもが制限されたレートを超えていない場合、そのレートが、制限されたレートに最も近いユーザ機器が選択され、過剰にサービス提供されたユーザ機器として報告されてよい、又は、過剰にサービス提供されたユーザ機器を決定すべく、ＰＣＲＦは新たな選択ポリシを要求される。
【００４９】
基地局デバイスによって測定されたＵＥのアップリンク平均レートは、統計収集によって受信データから直接取得されてよい。ＵＥのダウンリンク平均レートはＵＥフィードバック結果の方式を使用して取得されてよい、又は、無線リンク制御（ｒａｄｉｏ  ｌｉｎｋ  ｃｏｎｔｒｏｌ、ＲＬＣ）確認応答モード（ａｃｋｎｏｗｌｅｄｇｅｄ  ｍｏｄｅ、ＡＭ）方式の通信リンクについては、ダウンリンク平均レートは、基地局デバイスのＲＬＣ送信端が、確認応答が受信された送信データの量をチェックし、当該送信データのシグナリング負荷などの冗長な情報を差し引いた後、計算によって取得されてよい。
【００５０】
ＰＣＲＦが基地局デバイスの輻輳報告を受信した後、異なるユーザ機器の複数のサービス体験要件に従って、ＰＣＲＦは各フローのポリシ（ｐｏｌｉｃｙ）を適応的に調整し、次に、実行のために当該ポリシを基地局デバイスに送信して、セル内の全てのユーザ機器の満足度を最大化するという目的を達成する。例えば、上述の１９個のＵＥのセルについて、ＵＥ６、ＵＥ１２、及びＵＥ１３については制限されたレートが１．４Ｍｂｐｓであるというレート制限を明示的に要求すべく、ＰＣＲＦはポリシ・シグナリングを基地局デバイスに送信してよい。ＵＥ１の優先度は比較的低く、ＵＥ１の制限されたレートは更に低減されてよく、これにより、ＵＥ１におけるサービスデータフローの通信レートは１Ｍｂｐｓを超えない。輻輳したユーザ機器について、ＵＥ３及びＵＥ１６はＰＣＲＦによって送信されたポリシ・シグナリングにおける第１レベルとして使用されてよく、ＵＥ１８はＰＣＲＦによって送信されたポリシ・シグナリングにおける第２レベルとして使用されてよく、ＵＥ１７はＰＣＲＦによって送信されたポリシ・シグナリングにおける第３レベルに含まれてよい。それにより、ＵＥ３のレート及びＵＥ１６のレートを優先的に上げることを基地局デバイスに要求する。無線リソースが十分であり、ＵＥ３及びＵＥ１６が５００ｋｂｐｓの最小レートを実現し得る場合、ＵＥ１８の体験は改善され、ＵＥ１７のレートは調整されなくてよい。或いは、ＵＥ３のフロー優先度が比較的低い場合、ＰＣＲＦは、基地局デバイスにまずＵＥ１６、ＵＥ１７、及びＵＥ１８のサービス体験を改善することを要求してよい。ＵＥ３の伝送レートは、これら３個のＵＥのサービスデータフローの最小レートが満たされている場合のみに改善される。或いは、無線リソースが不十分である場合、基地局デバイスは、比較的低い優先度を有するＵＥ３へのサービスを停止することを要求されてよい。ＵＥ１６、ＵＥ１７、及びＵＥ１８へのユーザ満足度の効果が達成され得ることがまず確保される。基地局デバイスはまた、過剰にサービス提供されたユーザ機器の過度な無線周波数リソースを、ＵＥ３、ＵＥ１６、ＵＥ１７、及びＵＥ１８に平等に割り当てることを要求されてよい。
【００５１】
基地局デバイスはＰＣＲＦの調整ポリシを受信した後、ＰＣＲＦの要件を実現するための多数の方法が存在してよい。基地局デバイスにおける過剰にサービス提供されたユーザ機器の通信レートを限定することで、他の全てのユーザ機器の通信レートが改善され得る。しかしながら、輻輳制御効果は良好ではない。なぜなら、ＵＥ０、ＵＥ２、ＵＥ４、ＵＥ８、ＵＥ９、ＵＥ１０、ＵＥ１１、ＵＥ１４、及びＵＥ１５などの多数のユーザ機器には輻輳は生じていないからである。過剰にサービス提供されたユーザ機器の過度な無線周波数リソースがまた、これらのユーザ機器に割り当てられた場合、ＵＥ１６、ＵＥ１７、及びＵＥ１８などの輻輳したユーザ機器への改善効果は著しく減少する。基地局デバイスは全てのユーザ機器の間での無線周波数リソースの割り当てを担う。故に、基地局デバイスは、過剰にサービス提供されたユーザ機器の過度な無線周波数リソースの指向的な調整を実現してよい。例えば、基地局デバイスがラウンドロビン・スケジューリング・アルゴリズムを使用する場合、リソースが輻輳したユーザ機器に割り当てられる確率は適切に改善されてよく、リソースが過剰にサービス提供されたユーザ機器に割り当てられる確率は同時に低減される。しかしながら、リソースが他のユーザ機器に割り当てられる確率は不変のままである。或いは、基地局デバイスは重み付きプロポーショナル・フェアネス・スケジューリング（重み付きＰＦＳ）方法を使用する。比較的小さな加重値が、そのレートが制限される必要があるＵＥ６、ＵＥ１２、及びＵＥ１３などのＵＥに与えられ、これにより、これらのＵＥに割り当てられた周波数リソースが低減される。加えて、比較的大きな加重値が、そのレートが増加される必要があるＵＥ１６、ＵＥ１７、及びＵＥ１８などのＵＥに与えられ、これにより、これらのＵＥに割り当てられ得る周波数リソースが増加される。他のユーザ機器の加重値は不変のままであり、それにより、輻輳したユーザ機器のサービス体験が、できる限り満足されることが確保される。加えて、過剰にサービス提供されたユーザ機器のレートは、１．４Ｍｂｐｓなどの制限されたレートに依然として達し得る、又は、それに近いものであり得る。故に、これらのユーザ機器のサービス体験が著しく低減されることはなく、同時に他のユーザ機器の通信は影響を受けない。例えば、過剰にサービス提供されたユーザ機器のユーザが携帯電話の画面で映画を見る場合、携帯電話の画面は大きくないので、メディアプログラムソースの解像度が適切に低減されたとき、人間の両目は通常、違いが分からない。故に、ユーザ体験が著しく低減されることはない。しかしながら、伝送レートのための要件は低減されてよい。或いは、ユーザがバックグラウンドでファイルをダウンロードする場合、伝送レートがある程度低減されたとき、これらのユーザは不満足ではないであろう。
【００５２】
上述した方法はアップリンク無線通信、又はダウンリンク無線通信に適用可能であり、複数のサービスが１つのユーザ機器において開始された状況、すなわち、１つのＵＥ上で複数のフローが存在する状況にも適用可能である。
【００５３】
本発明のこの実施形態において提供されるアクセスネットワーク輻輳制御方法に従って、無線アクセスネットワークにおいて輻輳が生じた場合、輻輳状態のユーザ機器の複数の無線周波数リソース及び過剰にサービス提供された状態のユーザ機器の複数の無線周波数リソースは、スムーズな通信を確保すべく再配分されてよいことが分かるであろう。
【００５４】
図３ａを参照すると、図３ａは、本発明の一実施形態に係る別のアクセスネットワーク輻輳制御方法の概略フローチャートである。当該方法は以下の段階を備える。
【００５５】
段階Ｓ２０１：輻輳状態のユーザ機器及び過剰にサービス提供された状態のユーザ機器によって占有された複数の無線周波数リソースについての情報に従って、及び特定のアルゴリズムに従って、対応する制限を超える、過剰にサービス提供された状態のユーザ機器の複数の無線周波数リソースの一部を輻輳状態のユーザ機器に割り当てる。
【００５６】
基地局デバイスが輻輳、例えば、上述のシステムエミュレーション例におけるＵＥ３などのユーザ機器の、実際に測定された平均レートが最小レート要件を満たさないことを検出した後、ユーザサービス体験を改善すべく、輻輳を自己緩和するよう、輻輳状態のユーザ機器及び過剰にサービス提供された状態のユーザ機器において複数のリソースが事前調整されてよい。基地局デバイスは事前調整を実行し、これにより、ＰＣＲＦのワークロードは低減されてよく、輻輳は適時に制御され得る。具体的には、基地局デバイスは、輻輳状態のユーザ機器及び過剰にサービス提供された状態のユーザ機器によって占有された複数の無線周波数リソースについての情報に従って、及び特定のアルゴリズムに従って、対応する制限を超える、過剰にサービス提供された状態のユーザ機器の複数の無線周波数リソースの一部を輻輳状態のユーザ機器に割り当てる。具体的なアルゴリズムは、上述の実施形態において説明されている。
【００５７】
段階Ｓ２０２：無線周波数リソース事前調整結果を輻輳報告としてＰＣＲＦに送信する。ここで、無線周波数リソース事前調整結果は、事前調整後の、依然として輻輳状態のユーザ機器についての情報、及び、依然として過剰にサービス提供された状態のユーザ機器についての情報と、事前調整後の、依然として輻輳状態のユーザ機器、及び依然として過剰にサービス提供された状態のユーザ機器によって占有された複数の無線周波数リソースについての情報とを含む。
【００５８】
基地局デバイスが上述の事前調整を実行した後、輻輳が完全に制御され得ない可能性がある場合がある。基地局デバイスは、事前調整結果を輻輳報告としてＰＣＲＦに送信する必要があり、これにより、ＰＣＲＦは、事前調整結果とユーザサービスポリシとに従って更に調整を実行して調整ポリシを生成し、当該調整ポリシを基地局デバイスに送信する。
【００５９】
本明細書において、輻輳状態のユーザ機器及び過剰にサービス提供された状態のユーザ機器によって占有された複数の無線周波数リソースについての情報は、輻輳状態のユーザ機器の平均レート及び過剰にサービス提供された状態のユーザ機器の平均レートであってよい、又は、輻輳状態のユーザ機器の輻輳度によって、及び過剰にサービス提供された状態のユーザ機器のサービス提供過剰度によって表され、ここで、
輻輳度＝輻輳状態のユーザ機器の平均レート／最小レート、であり、
サービス提供過剰度＝過剰にサービス提供された状態のユーザ機器の平均レート／制限されたレート、である。
【００６０】
基地局デバイスはＰＣＲＦの選択ポリシに従って、少なくとも１つの制限されたレートから、制限されたレートを決定する。ＤＡＳＨ（ｄｙｎａｍｉｃ  ａｄａｐｔｉｖｅ  ｓｔｒｅａｍｉｎｇ、動的適応型ストリーミング）サービスに関して、ＰＣＲＦは、メディアサーバに記憶された、同一のメディアコンテンツの高解像度レート、標準解像度レート、及び低解像度レートなどの複数のメディアレートをアプリケーション機能（ａｐｐｌｉｃａｔｉｏｎ  ｆｕｎｃｔｉｏｎ、ＡＦ）から取得してよい。これらの異なるレートは、過剰にサービス提供されたユーザの識別を提供するために基地局デバイスに送信されてよい。過剰にサービス提供された状態のユーザ機器が検出された場合、基地局デバイスは、ＤＡＳＨサービスストリームを送信するユーザ機器に対して異なる複数の優先度の識別を実行し、そのレートが高解像度メディアレートより高いユーザ機器を過剰にサービス提供されたユーザとして優先的に報告してよい。
【００６１】
ユーザ機器の通信レートダイナミックレンジは比較的大きいので、平均レートの値が正確に通知される必要がある場合、送信される必要があるシグナリングビット数は比較的多い。基地局デバイスによって報告されたシグナリングビット数は、輻輳度及びサービス提供過剰度を規定することで効果的に低減されてよい。
【００６２】
段階Ｓ２０３：ＰＣＲＦによって送信された無線周波数リソース調整ポリシを受信する。
【００６３】
段階Ｓ２０４：依然として輻輳状態のユーザ機器、及び、依然として過剰にサービス提供された状態のユーザ機器に対して無線周波数リソース調整ポリシを実行する。
【００６４】
ＰＣＲＦの調整ポリシを受信した後、事前調整後、依然として輻輳状態のユーザ機器、及び依然として過剰にサービス提供された状態のユーザ機器において、基地局デバイスはリソース調整を実行して、ユーザ機器の輻輳を更に制御する。
【００６５】
具体的な実装プロセスについては、図３ｂを参照されたい。図３ｂは、図３ａに示された実施形態に係るアクセスネットワーク輻輳制御方法の更なる例の概略フローチャートである。フローによって提供されるサービス体験に必要な最小レートと、必要に応じてフローに設定される制限されたレートなどのパラメータを確保すべく、ＰＣＲＦは異なる複数のフロー優先度を基地局デバイスに送信する。ＰＣＲＦによって送信された上述のパラメータを基地局デバイスが受信した後、フローにおいて輻輳が生じたかどうかが、最小レートの値に従って検出される。
【００６６】
基地局デバイスが輻輳、例えば、上述のシステムエミュレーション例におけるＵＥ３などのユーザ機器の、実際に測定された平均レートが最小レート要件を満たさないことを検出した後、ユーザサービス体験を改善すべく、輻輳は自己緩和されてよい。基地局デバイスはまず、ＵＥ６、ＵＥ１２、又はＵＥ１３などの過剰にサービス提供されたユーザが存在するかどうかを検出する。基地局デバイスはまず、重み付きプロポーショナル・フェアネス・スケジューリング・アルゴリズムなどの上述のレート調整方法に従って、ＵＥ６、ＵＥ１２、及びＵＥ１３のレートを１．４Ｍｂｐｓの制限されたレートに低減してよく、重み付き調整によって、これらの３個のＵＥによって使われない複数の周波数リソースを、ＵＥ３、ＵＥ１６、ＵＥ１７、及びＵＥ１８などの輻輳したユーザ機器に割り当てる。この場合では、輻輳は除去されてよい、又は、単に緩和されてよい。いくつかのユーザ機器におけるサービスデータストリームの伝送レートは依然として、必要な最小レートに達しない。
【００６７】
次に、基地局デバイスは調整結果をＰＣＲＦに報告する必要がある。輻輳が単に緩和されただけであり、いくつかのユーザ機器の平均レートが依然として要件に達しない場合、基地局デバイスは、依然として輻輳状態のユーザ機器と、依然として過剰にサービス提供された状態のユーザ機器と、依然として輻輳状態のユーザ機器の現在の平均レート及び依然として過剰にサービス提供された状態のユーザ機器の現在の平均レートを報告する必要がある。
【００６８】
ＰＣＲＦが基地局デバイスの報告を受信した後、ＰＣＲＦは、上述の実施形態の同一の方法を実行する必要がある。例えば、基地局デバイスは、比較的低いフロー優先度を有するＵＥ３へのサービスを停止することを要求されてよく、ＵＥ１６、ＵＥ１７、及びＵＥ１８へのユーザ満足度の効果が達成され得ることがまず確保される。
【００６９】
本発明のこの実施形態において提供されるアクセスネットワーク輻輳制御方法に従って、無線アクセスネットワークにおいて輻輳が生じた場合、輻輳状態のユーザ機器の複数の無線周波数リソース及び過剰にサービス提供された状態のユーザ機器の複数の無線周波数リソースは、スムーズな通信を確保すべく再配分されてよいことが分かるであろう。加えて、輻輳が生じた場合、基地局デバイスはリソースの事前調整を実行し、これにより、輻輳は適時に制御され得、ＰＣＲＦのワークロードが低減される。
【００７０】
図４ａ参照すると、図４ａは本発明の一実施形態に係る更に別のアクセスネットワーク輻輳制御方法の概略フローチャートである。当該方法は以下の段階を含む。
【００７１】
段階Ｓ３０１：輻輳報告をポリシ及び課金ルール機能ネットワーク要素ＰＣＲＦに送信する。ここで、輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む。
【００７２】
段階Ｓ３０１は、図２ａに示された実施形態の段階Ｓ１０１と同一であり、ここでは詳細は記載しない。
【００７３】
段階Ｓ３０２：ＰＣＲＦによって送信された調整予想結果諮詢要求情報を受信する。ここで、調整予想結果諮詢要求情報は無線周波数リソース調整ポリシを含む。
【００７４】
基地局デバイスは無線周波数リソースの割り当ての管理を担い、ＰＣＲＦ局デバイスは、基地局デバイスより低い正確度で無線周波数リソース調整の結果を予測する。無線周波数リソース調整の効果をより良く確保すべく、ＰＣＲＦは調整予想結果諮詢要求情報を基地局に送信してよい。調整予想結果諮詢要求情報は、１又は複数の無線周波数リソース調整ポリシを含む。調整予想結果諮詢要求情報は具体的に、複数の無線周波数リソースが調整される必要があるユーザ機器と、過剰にサービス提供された状態のユーザ機器の無線周波数リソース数を低減することを含む。例えば、ユーザ機器に割り当てられる複数の無線周波数リソースが現在の無線周波数リソースの５０％まで低減されることが望まれ、リソースが輻輳状態のユーザ機器に移動された後、基地局デバイスは、輻輳状態のユーザ機器の可能なレート及び過剰にサービス提供された状態のユーザ機器の可能なレートを予測する。調整予想結果諮詢要求情報は、１又は複数の無線周波数リソース調整ポリシに従って予想調整を実行するよう基地局デバイスに命令すべく使用される。ＰＣＲＦは、調整予想結果諮詢を基地局デバイスに送信して、輻輳状態のユーザ機器及び過剰にサービス提供された状態のユーザ機器において基地局デバイスが無線周波数リソース調整を実行することの予想される効果について問い合わせる。
【００７５】
具体的な実装プロセスについては、図４ｂを参照されたい。図４ｂは、図４ａに示された実施形態に係るアクセスネットワーク輻輳制御方法の更なる例の概略フローチャートである。ＤＡＳＨサービスに関して、ＰＣＲＦは、メディアサーバに記憶された同一のメディアコンテンツの高解像度レート、標準解像度レート、及び低解像度レートなどの複数のメディアレートをＡＦから取得してよい。これらの異なるレートは過剰にサービス提供されたユーザの識別を提供するために基地局デバイスに送信されてよい。過剰にサービス提供された状態のユーザ機器が検出された場合、基地局デバイスは、ＤＡＳＨサービスストリームを送信するユーザ機器に対して異なる複数の優先度の識別を実行し、そのレートが高解像度メディアレートより高いユーザ機器を過剰にサービス提供されたユーザとして優先的に報告してよい。
【００７６】
異なる複数の制限されたレート、又は異なる複数のユーザサービスポリシについて、ＰＣＲＦは異なる無線周波数リソース調整ポリシを生成してよい。
【００７７】
段階Ｓ３０３：無線周波数リソース調整ポリシについて予想される調整を実行する。
【００７８】
段階Ｓ３０４：予想される調整結果をＰＣＲＦに送信する。
【００７９】
基地局デバイスは、基地局デバイスによって使用されるスケジューリング・アルゴリズムと、無線周波数リソース調整を必要とするユーザ機器の現在の実際のチャネル状態とに従って、無線リソース調整後の各ユーザ機器の可能なレートを予測し、可能なレートをＰＣＲＦに送信する。図４ｂに示されるように、基地局デバイスは予想される調整結果をＰＣＲＦに送信する。
【００８０】
段階Ｓ３０５：予想される調整結果に従ってＰＣＲＦによって送信されたポリシ実行指示を受信する。
【００８１】
ＰＣＲＦは、基地局デバイスによって送信された予想される調整結果に従って無線周波数リソース調整ポリシにおいていくつかの調整を実行してよい、又は、段階Ｓ３０２において、ＰＣＲＦによって基地局デバイスに送信された複数の無線周波数リソース調整ポリシが存在し、ＰＣＲＦはポリシ実行指示を送信して、特定の無線周波数リソース調整ポリシを実行するよう基地局デバイスに命令する。
【００８２】
段階Ｓ３０６：輻輳状態のユーザ機器及び過剰にサービス提供された状態のユーザ機器に対して、ポリシ実行指示によって指示された無線周波数リソース調整ポリシを実行する。
【００８３】
基地局デバイスは、ＰＣＲＦによって送信されたポリシ実行指示によって指示された無線周波数リソース調整ポリシを実行する。
【００８４】
本発明のこの実施形態において提供されるアクセスネットワーク輻輳制御方法に従って、無線アクセスネットワークにおいて輻輳が生じた場合、輻輳状態のユーザ機器の複数の無線周波数リソース及び過剰にサービス提供された状態のユーザ機器の複数の無線周波数リソースは、スムーズな通信を確保すべく再配分されてよいことが分かるであろう。加えて、基地局デバイスは、ＰＣＲＦによって生成された１又は複数の無線周波数リソース調整ポリシの調整予想結果諮詢要求情報を受信する。予想される調整は無線周波数リソース調整ポリシにおいて実行される。ＰＣＲＦは、予想される調整結果に従って、基地局デバイスによって最終的に実行される無線周波数リソース調整ポリシを決定し、これにより、リソース調整はより正確になり得る。
【００８５】
図５を参照すると、図５は、本発明の一実施形態に係る更に別のアクセスネットワーク輻輳制御方法の概略フローチャートである。当該方法は以下の段階を含む。
【００８６】
段階Ｓ４０１：基地局デバイスによって送信された輻輳報告を受信する。ここで、輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む。
【００８７】
基地局デバイスによってサービス提供される複数のユーザ機器は、無線周波数リソースの割り当てられたセグメントを共有するので、全てのユーザ機器に対して無線周波数リソースが不均等に割り当てられた状況が生じる可能性がある。ユーザ機器がサービスストリームを送信し、ユーザ機器によって必要とされる最小の無線周波数リソースが満たされ得ない場合、アクセスネットワークのアップリンク／ダウンリンクにおいて輻輳が生じる可能性がある。すなわち、ユーザ機器はデータを基地局デバイスにスムーズに送信することができない、又は、ユーザ機器はデータを基地局デバイスからスムーズに受信することができない。
【００８８】
１つの基地局デバイスの割り当てられた無線周波数リソースは一定なので、基地局デバイスのいくつかのユーザ機器が輻輳状態になる、すなわち、現在占有されている無線周波数リソースは最小の無線周波数リソースより少ない。言い換えれば、これらのユーザ機器は輻輳状態にある。通常、他のいくつかのユーザ機器によって占有された複数の無線周波数リソースは、実際に必要な無線周波数リソースより多い、又は、システムによって規定された、制限された無線周波数リソースより多い、すなわち、これらのユーザ機器は過剰にサービス提供された状態にある。最小の無線周波数リソース及び制限された無線周波数リソースは、ＰＣＲＦによって規定されてよい。基地局デバイスは輻輳報告をＰＣＲＦに送信し、輻輳報告は、輻輳状態のユーザ機器についての情報と、過剰にサービス提供された状態のユーザ機器についての情報と、輻輳状態のユーザ機器及び過剰にサービス提供された状態のユーザ機器によって占有された複数の無線周波数リソースについての情報とを含む。
【００８９】
段階Ｓ４０２：輻輳報告及びユーザサービスポリシに従って、輻輳状態のユーザ機器及び過剰にサービス提供された状態のユーザ機器において無線周波数リソース調整を実行するポリシを生成する。
【００９０】
ＰＣＲＦは輻輳報告を受信し、ポリシ及び課金ルール機能ネットワーク要素として機能するＰＣＲＦは、ユーザ機器の優先度、各ユーザ機器の最大の無線周波数リソース、又は同様のものなどの、１つの基地局デバイスの各ユーザ機器に対する特定のユーザサービスポリシを有する。ＰＣＲＦは、輻輳報告及びユーザサービスポリシに従って、輻輳状態のユーザ機器及び過剰にサービス提供された状態のユーザ機器において無線周波数リソース調整を実行するポリシを生成する。
【００９１】
一実装方式として、無線周波数リソース調整ポリシは、制限を超える、過剰にサービス提供された状態のユーザ機器によって占有された複数の無線周波数リソースの一部を、少なくとも１つのユーザ機器における輻輳状態のユーザ機器に割り当てるよう、又は、輻輳状態のユーザ機器における、最も低い優先度を有するユーザ機器の少なくとも１つのサービスストリームの送信を停止するよう基地局デバイスに命令すべく使用される。
【００９２】
段階Ｓ４０３：無線周波数リソース調整ポリシを基地局デバイスに送信する。
【００９３】
ＰＣＲＦは無線周波数リソース調整ポリシを基地局デバイスに送信する。基地局デバイスは、ＰＣＲＦによって送信された無線周波数リソース調整ポリシを受信し、関連する輻輳状態のユーザ機器及び過剰にサービス提供された状態のユーザ機器に対してポリシを実行する。すなわち、過剰にサービス提供された状態のユーザ機器の余分な複数の無線周波数リソースの一部が輻輳状態のユーザ機器に割り当てられ、これにより、輻輳状態のユーザ機器はサービスストリームをスムーズに送信でき、全基地局デバイスによってサービス提供される複数のユーザ機器の輻輳が制御され、過剰にサービス提供された状態のユーザ機器のサービスストリーム送信は明らかに影響を受けるわけではない。
【００９４】
本発明のこの実施形態において提供されるアクセスネットワーク輻輳制御方法に従って、無線アクセスネットワークにおいて輻輳が生じた場合、輻輳状態のユーザ機器の複数の無線周波数リソース及び過剰にサービス提供された状態のユーザ機器の複数の無線周波数リソースは、スムーズな通信を確保すべく再配分されてよいことが分かるであろう。
【００９５】
図６参照すると、図６は本発明の実施形態に係る基地局デバイスの概略構造図である。基地局デバイス１０００は、第１の送信ユニット１１、第１の受信ユニット１２、及び第１の実行ユニット１３を備える。
【００９６】
第１の送信ユニット１１は、輻輳報告をポリシ及び課金ルール機能ネットワーク要素ＰＣＲＦに送信するよう構成されている。ここで、輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む。
【００９７】
基地局デバイスによってサービス提供されるセルにおける複数のユーザ機器は、無線周波数リソースの割り当てられたセグメントを共有するので、全てのユーザ機器に対して無線周波数リソースが不均等に割り当てられた状況が生じる可能性がある。ユーザ機器がサービスストリームを送信し、かつ、ユーザ機器によって必要とされる最小の無線周波数リソースが満たされ得ない場合、アクセスネットワークのアップリンク／ダウンリンクにおいて輻輳が生じる可能性がある。すなわち、ユーザ機器はデータを基地局デバイスにスムーズに送信することができない、又は、ユーザ機器はデータを基地局デバイスからスムーズに受信することができない。
【００９８】
１つの基地局デバイスの割り当てられた無線周波数リソースは一定なので、基地局デバイスのいくつかのユーザ機器が輻輳状態になる、すなわち、現在占有されている無線周波数リソースは最小の無線周波数リソースより少ない。言い換えれば、これらのユーザ機器は輻輳状態にある。通常、他のいくつかのユーザ機器によって占有された複数の無線周波数リソースは、実際に必要な無線周波数リソースより多い、又は、システムによって規定された、制限された無線周波数リソースより多い、すなわち、これらのユーザ機器は過剰にサービス提供された状態にある。最小の無線周波数リソース及び制限された無線周波数リソースは、ＰＣＲＦによって規定されてよい。第１の送信ユニット１１は基地局デバイスの輻輳報告をＰＣＲＦに送信し、輻輳報告は、輻輳状態のユーザ機器についての情報と、過剰にサービス提供された状態のユーザ機器についての情報と、これらのユーザ機器によって占有された複数の無線周波数リソースについての情報とを含む。ＰＣＲＦは輻輳報告を受信し、ポリシ及び課金ルール機能ネットワーク要素として機能するＰＣＲＦは、ユーザ機器の優先度、各ユーザ機器の最大の無線周波数リソース、又は同様のものなどの、１つの基地局デバイスの各ユーザ機器に対する特定のユーザサービスポリシを有する。ＰＣＲＦは、輻輳報告及びユーザサービスポリシに従って、輻輳状態のユーザ機器と過剰にサービス提供された状態のユーザ機器とにおいて無線周波数リソース調整を実行するポリシを生成し、当該無線周波数リソース調整ポリシを基地局デバイスに送信する。
【００９９】
第１の受信ユニット１２は、ＰＣＲＦによって送信された無線周波数リソース調整ポリシを受信するよう構成されている。
【０１００】
第１の受信ユニット１２は、ＰＣＲＦによって送信された無線周波数リソース調整ポリシを受信する。
【０１０１】
第１の実行ユニット１３は、輻輳状態のユーザ機器及び過剰にサービス提供された状態のユーザ機器に対して無線周波数リソース調整ポリシを実行するよう構成されている。
【０１０２】
第１の受信ユニット１２は、ＰＣＲＦによって送信された無線周波数リソース調整ポリシを受信する。第１の実行ユニット１３は、関連する輻輳状態のユーザ機器及び過剰にサービス提供された状態のユーザ機器に対して当該ポリシを実行する。すなわち、過剰にサービス提供された状態のユーザ機器の余分な複数の無線周波数リソースの一部が輻輳状態のユーザ機器に割り当てられ、これにより、輻輳状態のユーザ機器はサービスストリームをスムーズに送信でき、全基地局デバイスによってサービス提供される複数のユーザ機器の輻輳が制御され、過剰にサービス提供された状態のユーザ機器のサービスストリーム送信は明らかに影響を受けるわけではない。
【０１０３】
本発明のこの実施形態において提供される基地局デバイスに従って、無線アクセスネットワークにおいて輻輳が生じた場合、スムーズな通信を確保すべく、輻輳状態のユーザ機器の複数の無線周波数リソース及び過剰にサービス提供された状態のユーザ機器の複数の無線周波数リソースが再配分されてよいことが分かるであろう。
【０１０４】
図７参照すると、図７は、本発明の一実施形態に係る別の基地局デバイスの概略構造図である。基地局デバイス２０００は、割り当てユニット２１、第１の送信ユニット２２、第１の受信ユニット２３、及び第１の実行ユニット２４を備える。
【０１０５】
割り当てユニット２１は、輻輳状態のユーザ機器及び過剰にサービス提供された状態のユーザ機器によって占有された複数の無線周波数リソースについての情報に従って、及び特定のアルゴリズムに従って、対応する制限を超える、過剰にサービス提供された状態のユーザ機器の複数の無線周波数リソースの一部を輻輳状態のユーザ機器に割り当てるよう構成されている。
【０１０６】
基地局デバイスが輻輳、例えば、上述のシステムエミュレーション例におけるＵＥ３などのユーザ機器の、実際に測定された平均レートが最小レート要件を満たさないことを検出した後、ユーザサービス体験を改善すべく、輻輳を自己緩和するよう、輻輳状態のユーザ機器及び過剰にサービス提供された状態のユーザ機器において複数のリソースが事前調整されてよい。基地局デバイスは事前調整を実行し、これにより、ＰＣＲＦのワークロードは低減されてよく、輻輳は適時に制御され得る。具体的には、割り当てユニット２１は、輻輳状態のユーザ機器及び過剰にサービス提供された状態のユーザ機器によって占有された複数の無線周波数リソースについての情報に従って、及び特定のアルゴリズムに従って、対応する制限を超える、過剰にサービス提供された状態のユーザ機器の複数の無線周波数リソースの一部を輻輳状態のユーザ機器に割り当てる。
【０１０７】
第１の送信ユニット２２は、無線周波数リソース事前調整結果を輻輳報告としてＰＣＲＦに送信するよう構成されている。ここで、無線周波数リソース事前調整結果は、事前調整後の、依然として輻輳状態のユーザ機器についての情報、及び、依然として過剰にサービス提供された状態のユーザ機器についての情報と、事前調整後の、依然として輻輳状態のユーザ機器、及び依然として過剰にサービス提供された状態のユーザ機器によって占有された複数の無線周波数リソースについての情報とを含む。
【０１０８】
基地局デバイスが上述の事前調整を実行した後、輻輳が完全に制御され得ない可能性がある場合がある。第１の送信ユニット２２は、事前調整結果を輻輳報告としてＰＣＲＦに送信する必要があり、これにより、ＰＣＲＦは、事前調整結果とユーザサービスポリシとに従って更に調整を実行して調整ポリシを生成し、当該調整ポリシを基地局デバイスに送信する。
【０１０９】
本明細書において、輻輳状態のユーザ機器及び過剰にサービス提供された状態のユーザ機器によって占有された複数の無線周波数リソースについての情報は、輻輳状態のユーザ機器の平均レート及び過剰にサービス提供された状態のユーザ機器の平均レートであってよい、又は、輻輳状態のユーザ機器の輻輳度によって、及び過剰にサービス提供された状態のユーザ機器のサービス提供過剰度によって表され、ここで、
輻輳度＝輻輳状態のユーザ機器の平均レート／最小レート、であり、
サービス提供過剰度＝過剰にサービス提供された状態のユーザ機器の平均レート／制限されたレート、である。
【０１１０】
基地局デバイスはＰＣＲＦの選択ポリシに従って、少なくとも１つの制限されたレートから、制限されたレートを決定する。ＤＡＳＨ（ｄｙｎａｍｉｃ  ａｄａｐｔｉｖｅ  ｓｔｒｅａｍｉｎｇ、動的適応型ストリーミング）サービスに関して、ＰＣＲＦは、メディアサーバに記憶された、同一のメディアコンテンツの高解像度レート、標準解像度レート、及び低解像度レートなどの複数のメディアレートをアプリケーション機能（ａｐｐｌｉｃａｔｉｏｎ  ｆｕｎｃｔｉｏｎ、ＡＦ）から取得してよい。これらの異なるレートは、過剰にサービス提供されたユーザの識別を提供するために基地局デバイスに送信されてよい。過剰にサービス提供された状態のユーザ機器が検出された場合、基地局デバイスは、ＤＡＳＨサービスストリームを送信するユーザ機器に対して異なる複数の優先度の識別を実行し、そのレートが高解像度メディアレートより高いユーザ機器を過剰にサービス提供されたユーザとして優先的に報告してよい。
【０１１１】
ユーザ機器の通信レートダイナミックレンジは比較的大きいので、平均レートの値が正確に通知される必要がある場合、送信される必要があるシグナリングビット数は比較的多い。基地局デバイスによって報告されたシグナリングビット数は、輻輳度及びサービス提供過剰度を規定することで効果的に低減されてよい。
【０１１２】
第１の受信ユニット２３は、ＰＣＲＦによって送信された無線周波数リソース調整ポリシを受信するよう構成されている。
【０１１３】
第１の実行ユニット２４は、依然として輻輳状態のユーザ機器、及び依然として過剰にサービス提供された状態のユーザ機器に対して無線周波数リソース調整ポリシを実行するよう構成されている。
【０１１４】
ＰＣＲＦの調整ポリシを受信した後、事前調整後、依然として輻輳状態のユーザ機器、及び依然として過剰にサービス提供された状態のユーザ機器において、基地局デバイスはリソース調整を実行して、ユーザ機器の輻輳を更に制御する。
【０１１５】
本発明のこの実施形態において提供される基地局デバイスに従って、無線アクセスネットワークにおいて輻輳が生じた場合、スムーズな通信を確保すべく、輻輳状態のユーザ機器の複数の無線周波数リソース及び過剰にサービス提供された状態のユーザ機器の複数の無線周波数リソースが再配分されてよいことが分かるであろう。加えて、輻輳が生じた場合、基地局デバイスはリソースの事前調整を実行し、これにより、輻輳は適時に制御され得、ＰＣＲＦのワークロードが低減される。
【０１１６】
図８参照すると、図８は、本発明の一実施形態に係る更に別の基地局デバイスの概略構造図である。基地局デバイス３０００は、第１の送信ユニット３１、第１の受信ユニット３２、及び第１の実行ユニット３３を備える。
【０１１７】
第１の送信ユニット３１は、輻輳報告をポリシ及び課金ルール機能ネットワーク要素ＰＣＲＦに送信するよう構成されている。ここで、輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む。
【０１１８】
第１の送信ユニット３１の機能は、図６に示された実施形態の第１の送信ユニット１１の機能と同一であり、ここでは詳細は記載しない。
【０１１９】
第１の受信ユニット３２は、ＰＣＲＦによって送信された調整予想結果諮詢要求情報を受信するよう構成されており、調整予想結果諮詢要求情報は無線周波数リソース調整ポリシを含む。
【０１２０】
基地局デバイスは無線周波数リソースの割り当ての管理を担い、ＰＣＲＦ局デバイスは、基地局デバイスより低い正確度で無線周波数リソース調整の結果を予測する。無線周波数リソース調整の効果をより良く確保すべく、ＰＣＲＦは調整予想結果諮詢要求情報を基地局に送信してよい。調整予想結果諮詢要求情報は、１又は複数の無線周波数リソース調整ポリシを含む。調整予想結果諮詢要求情報は具体的に、複数の無線周波数リソースが調整される必要があるユーザ機器と、過剰にサービス提供された状態のユーザ機器の無線周波数リソース数を低減することを含む。例えば、ユーザ機器に割り当てられる複数の無線周波数リソースが現在の無線周波数リソースの５０％まで低減されることが望まれ、リソースが輻輳状態のユーザ機器に移動された後、基地局デバイスは、輻輳状態のユーザ機器の可能なレート及び過剰にサービス提供された状態のユーザ機器の可能なレートを予測する。調整予想結果諮詢要求情報は、１又は複数の無線周波数リソース調整ポリシに従って予想調整を実行するよう基地局デバイスに命令すべく使用される。ＰＣＲＦは、調整予想結果諮詢を基地局デバイスに送信して、輻輳状態のユーザ機器及び過剰にサービス提供された状態のユーザ機器において基地局デバイスが無線周波数リソース調整を実行することの予想される効果について問い合わせる。
【０１２１】
具体的な実装プロセスについては、図４ｂを参照されたい。図４ｂは、図４ａに示された実施形態に係るアクセスネットワーク輻輳制御方法の更なる例の概略フローチャートである。ＤＡＳＨサービスに関して、ＰＣＲＦは、メディアサーバに記憶された同一のメディアコンテンツの高解像度レート、標準解像度レート、及び低解像度レートなどの複数のメディアレートをＡＦから取得してよい。これらの異なるレートは過剰にサービス提供されたユーザの識別を提供するために基地局デバイスに送信されてよい。過剰にサービス提供された状態のユーザ機器が検出された場合、基地局デバイスは、ＤＡＳＨサービスストリームを送信するユーザ機器に対して異なる複数の優先度の識別を実行し、そのレートが高解像度メディアレートより高いユーザ機器を過剰にサービス提供されたユーザとして優先的に報告してよい。
【０１２２】
異なる複数の制限されたレート、又は異なる複数のユーザサービスポリシについて、ＰＣＲＦは異なる無線周波数リソース調整ポリシを生成してよい。
【０１２３】
第１の実行ユニット３３は、輻輳状態のユーザ機器及び過剰にサービス提供された状態のユーザ機器に対して無線周波数リソース調整ポリシを実行するよう構成されている。
【０１２４】
この実施形態では、第１の実行ユニット３３は具体的に、第２の実行ユニット３３１、第２の送信ユニット３３２、及び第２の受信ユニット３３３を含む。
【０１２５】
第２の実行ユニット３３１は、無線周波数リソース調整ポリシについて、予想される調整を実行するよう構成されている。
【０１２６】
第２の送信ユニット３３２は、予想される調整結果をＰＣＲＦに送信するよう構成されている。
【０１２７】
基地局デバイスは、基地局デバイスによって使用されるスケジューリング・アルゴリズムと、無線周波数リソース調整を必要とするユーザ機器の現在の実際のチャネル状態とに従って、無線リソース調整の後の各ユーザ機器の可能なレートを予測し、可能なレートをＰＣＲＦに送信する。図４ｂに示されるように、基地局デバイスは予想される調整結果をＰＣＲＦに送信する。
【０１２８】
第２の受信ユニット３３３は、予想される調整結果に従ってＰＣＲＦによって送信されたポリシ実行指示を受信するよう構成されている。
【０１２９】
ＰＣＲＦは、基地局デバイスによって送信された予想される調整結果に従って無線周波数リソース調整ポリシにおいていくつかの調整を実行してよい、又は、ＰＣＲＦによって基地局デバイスに送信された複数の無線周波数リソース調整ポリシが存在し、ＰＣＲＦはポリシ実行指示を送信して、特定の無線周波数リソース調整ポリシを実行するよう基地局デバイスに命令する。
【０１３０】
第２の実行ユニット３３１は更に、輻輳状態のユーザ機器及び過剰にサービス提供された状態のユーザ機器に対して、ポリシ実行指示によって指示された無線周波数リソース調整ポリシを実行するよう構成されている。
【０１３１】
基地局デバイスは、ＰＣＲＦによって送信されたポリシ実行指示によって指示された無線周波数リソース調整ポリシを実行する。
【０１３２】
本発明のこの実施形態において提供される基地局デバイスに従って、無線アクセスネットワークにおいて輻輳が生じた場合、スムーズな通信を確保すべく、輻輳状態のユーザ機器の複数の無線周波数リソース及び過剰にサービス提供された状態のユーザ機器の複数の無線周波数リソースが再配分されてよいことが分かるであろう。加えて、基地局デバイスは、ＰＣＲＦによって生成された１又は複数の無線周波数リソース調整ポリシの調整予想結果諮詢要求情報を受信する。予想される調整は無線周波数リソース調整ポリシにおいて実行される。ＰＣＲＦは、予想される調整結果に従って、基地局デバイスによって最終的に実行される無線周波数リソース調整ポリシを決定し、これにより、リソース調整はより正確になり得る。
【０１３３】
図９参照すると、図９は、本発明の一実施形態に係るポリシ及び課金ルール機能ネットワーク要素ＰＣＲＦの概略構造図である。ＰＣＲＦ４０００は、受信ユニット４１、生成ユニット４２、及び送信ユニット４３を備える。
【０１３４】
受信ユニット４１は、基地局デバイスによって送信された輻輳報告を受信するよう構成されている。ここで、輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む。
【０１３５】
基地局デバイスによってサービス提供される複数のユーザ機器は、無線周波数リソースの割り当てられたセグメントを共有するので、全てのユーザ機器に対して無線周波数リソースが不均等に割り当てられた状況が生じる可能性がある。ユーザ機器がサービスストリームを送信し、かつ、ユーザ機器によって必要とされる最小の無線周波数リソースが満たされ得ない場合、アクセスネットワークのアップリンク／ダウンリンクにおいて輻輳が生じる可能性がある。すなわち、ユーザ機器はデータを基地局デバイスにスムーズに送信することができない、又は、ユーザ機器はデータを基地局デバイスからスムーズに受信することができない。
【０１３６】
１つの基地局デバイスの割り当てられた無線周波数リソースは一定なので、基地局デバイスのいくつかのユーザ機器が輻輳状態になる、すなわち、現在占有されている無線周波数リソースは最小の無線周波数リソースより少ない。言い換えれば、これらのユーザ機器は輻輳状態にある。通常、他のいくつかのユーザ機器によって占有された複数の無線周波数リソースは、実際に必要な無線周波数リソースより多い、又は、システムによって規定された、制限された無線周波数リソースより多い、すなわち、これらのユーザ機器は過剰にサービス提供された状態にある。最小の無線周波数リソース及び制限された無線周波数リソースは、ＰＣＲＦによって規定されてよい。基地局デバイスは輻輳報告をＰＣＲＦに送信し、輻輳報告は、輻輳状態のユーザ機器についての情報と、過剰にサービス提供された状態のユーザ機器についての情報と、輻輳状態のユーザ機器及び過剰にサービス提供された状態のユーザ機器によって占有された複数の無線周波数リソースについての情報とを含む。受信ユニット４１は、基地局デバイスによって送信された輻輳報告を受信する。
【０１３７】
生成ユニット４２は、輻輳報告及びユーザサービスポリシに従って、輻輳状態のユーザ機器及び過剰にサービス提供された状態のユーザ機器において無線周波数リソース調整を実行するポリシを生成するよう構成されている。
【０１３８】
ＰＣＲＦは輻輳報告を受信し、ポリシ及び課金ルール機能ネットワーク要素として機能するＰＣＲＦは、ユーザ機器の優先度、各ユーザ機器の最大の無線周波数リソース、又は同様のものなどの、１つの基地局デバイスの各ユーザ機器に対する特定のユーザサービスポリシを有する。生成ユニット４２は、輻輳報告及びユーザサービスポリシに従って、輻輳状態のユーザ機器及び過剰にサービス提供された状態のユーザ機器において無線周波数リソース調整を実行するポリシを生成する。
【０１３９】
一実装方式として、無線周波数リソース調整ポリシは、制限を超える、過剰にサービス提供された状態のユーザ機器によって占有された複数の無線周波数リソースの一部を、少なくとも１つのユーザ機器における輻輳状態のユーザ機器に割り当てるよう、又は、輻輳状態のユーザ機器における、最も低い優先度を有するユーザ機器の少なくとも１つのサービスストリームの送信を停止するよう基地局デバイスに命令すべく使用される。
【０１４０】
送信ユニット４３は、無線周波数リソース調整ポリシを基地局デバイスに送信するよう構成されている。
【０１４１】
送信ユニット４３は、無線周波数リソース調整ポリシを基地局デバイスに送信する。基地局デバイスは、ＰＣＲＦによって送信された無線周波数リソース調整ポリシを受信し、関連する輻輳状態のユーザ機器及び過剰にサービス提供された状態のユーザ機器に対してポリシを実行する。すなわち、過剰にサービス提供された状態のユーザ機器の余分な複数の無線周波数リソースの一部が輻輳状態のユーザ機器に割り当てられ、これにより、輻輳状態のユーザ機器はサービスストリームをスムーズに送信でき、全基地局デバイスによってサービス提供される複数のユーザ機器の輻輳が制御され、過剰にサービス提供された状態のユーザ機器のサービスストリーム送信は明らかに影響を受けるわけではない。
【０１４２】
本発明のこの実施形態において提供されるＰＣＲＦに従って、無線アクセスネットワークにおいて輻輳が生じた場合、スムーズな通信を確保すべく、輻輳状態のユーザ機器の複数の無線周波数リソース及び過剰にサービス提供された状態のユーザ機器の複数の無線周波数リソースが再配分されてよいことが分かるであろう。
【０１４３】
図１０参照すると、図１０は、本発明の一実施形態に係る更に別の基地局デバイスの概略構造図である。基地局デバイス５０００は、送信機５１、プロセッサ５２、及び受信機５３を備える。
【０１４４】
送信機５１は、輻輳報告をポリシ及び課金ルール機能ネットワーク要素ＰＣＲＦに送信するよう構成されている。ここで、輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む。
【０１４５】
受信機５３は、ＰＣＲＦによって送信された無線周波数リソース調整ポリシを受信するよう構成されている。
【０１４６】
プロセッサ５２は、輻輳状態のユーザ機器及び過剰にサービス提供された状態のユーザ機器に対して無線周波数リソース調整ポリシを実行するよう構成されている。
【０１４７】
一実装方式として、送信機５１が輻輳報告をＰＣＲＦに送信する前に、プロセッサ５２は更に、
輻輳状態のユーザ機器及び過剰にサービス提供された状態のユーザ機器によって占有された複数の無線周波数リソースについての情報に従って、及び、特定のアルゴリズムに従って、対応する制限を超える、過剰にサービス提供された状態のユーザ機器の複数の無線周波数リソースの一部を輻輳状態のユーザ機器に割り当てるよう構成されている。
【０１４８】
それに対応して、送信機５１は具体的に、
無線周波数リソース事前調整結果を輻輳報告としてＰＣＲＦに送信するよう構成されている。ここで、無線周波数リソース事前調整結果は、事前調整後の、依然として輻輳状態のユーザ機器についての情報、及び、依然として過剰にサービス提供された状態のユーザ機器についての情報と、事前調整後の、依然として輻輳状態のユーザ機器、及び依然として過剰にサービス提供された状態のユーザ機器によって占有された複数の無線周波数リソースについての情報とを含む。
【０１４９】
別の実装方式として、受信機５３は具体的に、
ＰＣＲＦによって送信された調整予想結果諮詢要求情報を受信するよう構成されており、ここで、調整予想結果諮詢要求情報は無線周波数リソース調整ポリシを含む。
【０１５０】
プロセッサ５２が、輻輳状態のユーザ機器及び過剰にサービス提供された状態のユーザ機器に対して無線周波数リソース調整ポリシを実行する段階を実行することは、
無線周波数リソース調整ポリシについて、予想される調整を実行することと、
予想される調整結果をＰＣＲＦに送信することと、
予想される調整結果に従ってＰＣＲＦによって送信されたポリシ実行指示を受信することと、
輻輳状態のユーザ機器及び過剰にサービス提供された状態のユーザ機器に対して、ポリシ実行指示によって指示された無線周波数リソース調整ポリシを実行することとを含む。
【０１５１】
輻輳状態のユーザ機器及び過剰にサービス提供された状態のユーザ機器によって占有された複数の無線周波数リソースについての情報は、輻輳状態のユーザ機器の平均レート及び過剰にサービス提供された状態のユーザ機器の平均レートである、又は、輻輳状態のユーザ機器の輻輳度によって、及び過剰にサービス提供された状態のユーザ機器のサービス提供過剰度によって表され、ここで、
輻輳度＝輻輳状態のユーザ機器の平均レート／最小レート、であり、
サービス提供過剰度＝過剰にサービス提供された状態のユーザ機器の平均レート／制限されたレート、であり、
当該制限されたレートは、ＰＣＲＦの選択ポリシに従って、少なくとも１つの制限されたレートから決定される。
【０１５２】
本発明のこの実施形態において提供される基地局デバイスに従って、無線アクセスネットワークにおいて輻輳が生じた場合、スムーズな通信を確保すべく、輻輳状態のユーザ機器の複数の無線周波数リソース及び過剰にサービス提供された状態のユーザ機器の複数の無線周波数リソースが再配分されてよいことが分かるであろう。
【０１５３】
図１１を参照すると、図１１は本発明の一実施形態に係る別のＰＣＲＦの概略構造図である。ＰＣＲＦ６０００は、受信機６１、プロセッサ６２、及び送信機６３を備える。
【０１５４】
受信機６１は、基地局デバイスによって送信された輻輳報告を受信するよう構成されている。ここで、輻輳報告は、少なくとも１つのユーザ機器における輻輳状態のユーザ機器についての情報と、少なくとも１つのユーザ機器における過剰にサービス提供された状態のユーザ機器についての情報と、輻輳状態のユーザ機器及び過剰にサービス提供された状態のユーザ機器によって占有された複数の無線周波数リソースについての情報とを含む。
【０１５５】
プロセッサ６２は、輻輳報告及びユーザサービスポリシに従って、輻輳状態のユーザ機器及び過剰にサービス提供された状態のユーザ機器において無線周波数リソース調整を実行するポリシを生成するよう構成されている。
【０１５６】
送信機６３は、無線周波数リソース調整ポリシを基地局デバイスに送信するよう構成されている。
【０１５７】
一実装方式として、無線周波数リソース調整ポリシは、対応する制限を超える、過剰にサービス提供された状態のユーザ機器の複数の無線周波数リソースの一部を輻輳状態のユーザ機器に割り当てるよう、又は、輻輳状態のユーザ機器における、最も低い優先度を有するユーザ機器のサービスストリームの送信を停止するよう基地局デバイスに命令すべく使用される。
【０１５８】
本発明のこの実施形態において提供されるＰＣＲＦに従って、無線アクセスネットワークにおいて輻輳が生じた場合、スムーズな通信を確保すべく、輻輳状態のユーザ機器の複数の無線周波数リソース及び過剰にサービス提供された状態のユーザ機器の複数の無線周波数リソースが再配分されてよいことが分かるであろう。
【０１５９】
説明を簡潔にすべく、上述した方法の実施形態は、一連の動作として表されていることに留意すべきである。しかしながら、本発明が、説明された動作の順序に限定されないことを当業者は理解すべきである。なぜなら、本発明に従って、いくつかの段階は、他の順序で実行されてよい、又は、同時に実行されてよいからである。加えて、明細書において説明された全ての実施形態は実施形態の例であり、関連する動作及びモジュールは必ずしも本発明に必須というわけではないこともまた当業者は理解すべきである。
【０１６０】
上述の実施形態では、各実施形態の説明は、それぞれの焦点を有する。ある実施形態において詳細に記載されていない部分については、他の実施形態の関連する説明が参照されてよい。
【０１６１】
上述の実施形態の説明があれば、本発明が、ハードウェア、ファームウェア、又はこれらの組み合わせによって実装されてよいことを当業者は明確に理解するであろう。本発明がソフトウェアによって実装された場合、上述の機能はコンピュータ可読媒体に記憶されてよい、又は、コンピュータ可読媒体内の１又は複数の命令若しくはコードとして送信されてよい。コンピュータ可読媒体は、コンピュータ記憶媒体及び通信媒体を含み、当該通信媒体は、コンピュータプログラムがある場所から別の場所へ送信されることを可能にする任意の媒体を含む。当該記憶媒体は、コンピュータがアクセス可能な任意の利用可能な媒体であってよい。以下のものは例として使用されるのであって、限定はされない。コンピュータ可読媒体は、ランダムアクセスメモリ（Ｒａｎｄｏｍ  Ａｃｃｅｓｓ  Ｍｅｍｏｒｙ、ＲＡＭ）、リードオンリメモリ（Ｒｅａｄ−Ｏｎｌｙ  Ｍｅｍｏｒｙ、ＲＯＭ）、電気的消去可能プログラマブル・リードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク・リードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）若しくは他の光ディスクストレージ、ディスク記憶媒体若しくは他のディスクストレージ、又は、コマンド形式若しくはデータ構成形式の予想されるプログラムコードを保持、若しくは記憶すべく使用され得、かつコンピュータによってアクセスされ得る任意の他の媒体を含んでよい。加えて、任意の接続が、コンピュータ可読媒体として適切に定義されてよい。例えば、同軸ケーブル、光ファイバ／ケーブル、ツイストペア、デジタル加入者線（Ｄｉｇｉｔａｌ  Ｓｕｂｓｃｒｉｂｅｒ  Ｌｉｎｅ、ＤＳＬ）、又は、赤外線、無線、及びマイクロ波などの無線技術を使用して、ソフトウェアがウェブサイト、サーバ、又は別のリモートソースから送信された場合、同軸ケーブル、光ファイバ／ケーブル、ツイストペア、ＤＳＬ、又は、赤外線、無線、及びマイクロ波などの無線技術は、それらが属する媒体の固定に含まれる。例えば、本発明によって使用されるディスク（Ｄｉｓｋ）及びディスク（ｄｉｓｃ）は、コンパクトディスクＣＤ，レーザディスク、光ディスク、デジタル多用途ディスク（ＤＶＤ）、フロッピー（登録商標）ディスク、及びブルーレイディスクを含み、ここで、ディスク（ｄｉｓｋ）は通常、磁気手段によってデータをコピーし、ディスク（ｄｉｓｃ）は、レーザ手段によって光学的にデータをコピーする。上述の組み合わせはまた、コンピュータ可読媒体の保護範囲に含まれるべきである。
【０１６２】
要約すると、上述されていることは、本発明の技術的解決法の実施形態の例に過ぎず、本発明の保護範囲を限定することは意図されていない。本発明の主旨及び原理から逸脱することなく成された任意の変更、等価な置き換え、又は改善は、本発明の保護範囲に含まれるものとする。
［項目１］
輻輳報告をポリシ及び課金ルール機能ネットワーク要素ＰＣＲＦに送信する段階であって、上記輻輳報告は、少なくとも１つのユーザ機器における輻輳状態のユーザ機器についての情報と、少なくとも１つのユーザ機器における過剰にサービス提供された状態のユーザ機器についての情報と、上記輻輳状態の上記ユーザ機器及び上記過剰にサービス提供された状態の上記ユーザ機器によって占有された複数の無線周波数リソースについての情報とを備える、段階と、
上記ＰＣＲＦによって送信された無線周波数リソース調整ポリシを受信する段階と、
上記輻輳状態の上記ユーザ機器及び上記過剰にサービス提供された状態の上記ユーザ機器に対して上記無線周波数リソース調整ポリシを実行する段階と、
を備えるアクセスネットワーク輻輳制御方法。
［項目２］
輻輳報告を上記ＰＣＲＦに送信する上記段階の前に、
上記輻輳状態の上記ユーザ機器及び上記過剰にサービス提供された状態の上記ユーザ機器によって占有された複数の無線周波数リソースについての上記情報に従って、及び、特定のアルゴリズムに従って、対応する制限を超える上記過剰にサービス提供された状態の上記ユーザ機器の上記複数の無線周波数リソースの一部を上記輻輳状態の上記ユーザ機器に割り当てる段階を更に備え、
それに対応して、輻輳報告を上記ＰＣＲＦに送信する上記段階は、
無線周波数リソース事前調整結果を上記輻輳報告として上記ＰＣＲＦに送信する段階であって、上記無線周波数リソース事前調整結果は、事前調整後の、依然として上記輻輳状態のユーザ機器についての情報、及び、依然として上記過剰にサービス提供された状態のユーザ機器についての情報と、事前調整後の、依然として上記輻輳状態の上記ユーザ機器、及び依然として上記過剰にサービス提供された状態の上記ユーザ機器によって占有された複数の無線周波数リソースについての情報とを備える、段階を有する、項目１に記載の方法。
［項目３］
上記ＰＣＲＦによって送信された無線周波数リソース調整ポリシを受信する上記段階は、
上記ＰＣＲＦによって送信された調整予想結果諮詢要求情報を受信する段階であって、上記調整予想結果諮詢要求情報は上記無線周波数リソース調整ポリシを備える、段階を有し、
上記輻輳状態の上記ユーザ機器及び上記過剰にサービス提供された状態の上記ユーザ機器に対して上記無線周波数リソース調整ポリシを実行する上記段階は、
上記無線周波数リソース調整ポリシについて、予想される調整を実行する段階と、
予想される調整結果を上記ＰＣＲＦに送信する段階と、
上記予想される調整結果に従って上記ＰＣＲＦによって送信されたポリシ実行指示を受信する段階と、
上記輻輳状態の上記ユーザ機器及び上記過剰にサービス提供された状態の上記ユーザ機器に対して、上記ポリシ実行指示によって指示された上記無線周波数リソース調整ポリシを実行する段階とを有する、項目１に記載の方法。
［項目４］
上記輻輳状態の上記ユーザ機器及び上記過剰にサービス提供された状態の上記ユーザ機器によって占有された複数の無線周波数リソースについての上記情報は、上記輻輳状態の上記ユーザ機器の平均レート及び上記過剰にサービス提供された状態の上記ユーザ機器の平均レートである、又は、上記輻輳状態の上記ユーザ機器の輻輳度によって、及び、上記過剰にサービス提供された状態の上記ユーザ機器のサービス提供過剰度によって表され、
上記輻輳度＝上記輻輳状態の上記ユーザ機器の上記平均レート／上記最小レート、であり、
上記サービス提供過剰度＝上記過剰にサービス提供された状態の上記ユーザ機器の上記平均レート／制限されたレート、であり、
上記制限されたレートは、上記ＰＣＲＦの選択ポリシに従って少なくとも１つの制限されたレートから決定される、項目１から３の何れか一項に記載の方法。
［項目５］
基地局デバイスによって送信された輻輳報告を受信する段階であって、上記輻輳報告は、少なくとも１つのユーザ機器における輻輳状態のユーザ機器についての情報と、少なくとも１つのユーザ機器における過剰にサービス提供された状態のユーザ機器についての情報と、上記輻輳状態の上記ユーザ機器及び上記過剰にサービス提供された状態の上記ユーザ機器によって占有された複数の無線周波数リソースについての情報とを備える、段階と、
上記輻輳報告及びユーザサービスポリシに従って、上記輻輳状態の上記ユーザ機器及び上記過剰にサービス提供された状態の上記ユーザ機器において無線周波数リソース調整を実行するポリシを生成する段階と、
上記無線周波数リソース調整ポリシを上記基地局デバイスに送信する段階と、
を備えるアクセスネットワーク輻輳制御方法。
［項目６］
上記無線周波数リソース調整ポリシは、対応する制限を超える上記過剰にサービス提供された状態の上記ユーザ機器の上記複数の無線周波数リソースの一部を、上記輻輳状態の上記ユーザ機器に割り当てるよう、又は、上記輻輳状態の上記ユーザ機器における最も低い優先度を有するユーザ機器のサービスストリームの送信を停止するよう上記基地局デバイスに命令すべく使用される、項目５に記載の方法。
［項目７］
輻輳報告をポリシ及び課金ルール機能ネットワーク要素ＰＣＲＦに送信するよう構成された第１の送信ユニットであって、上記輻輳報告は、少なくとも１つのユーザ機器における輻輳状態のユーザ機器についての情報と、少なくとも１つのユーザ機器における過剰にサービス提供された状態のユーザ機器についての情報と、上記輻輳状態の上記ユーザ機器及び上記過剰にサービス提供された状態の上記ユーザ機器によって占有された複数の無線周波数リソースについての情報とを備える、第１の送信ユニットと、
上記ＰＣＲＦによって送信された無線周波数リソース調整ポリシを受信するよう構成された第１の受信ユニットと、
上記輻輳状態の上記ユーザ機器及び上記過剰にサービス提供された状態の上記ユーザ機器に対して上記無線周波数リソース調整ポリシを実行するよう構成された第１の実行ユニットと、
を備える基地局デバイス。
［項目８］
上記輻輳状態の上記ユーザ機器及び上記過剰にサービス提供された状態の上記ユーザ機器によって占有された複数の無線周波数リソースについての上記情報に従って、及び特定のアルゴリズムに従って、対応する制限を超える上記過剰にサービス提供された状態の上記ユーザ機器の上記複数の無線周波数リソースの一部を、上記輻輳状態の上記ユーザ機器に割り当てるよう構成された割り当てユニットを更に備え、
それに対応して、上記第１の送信ユニットは具体的に、
事前調整後の、依然として上記輻輳状態のユーザ機器についての情報、及び、依然として上記過剰にサービス提供された状態のユーザ機器についての情報と、事前調整後の、依然として上記輻輳状態の上記ユーザ機器、及び依然として上記過剰にサービス提供された状態の上記ユーザ機器によって占有された複数の無線周波数リソースについての情報とを備える無線周波数リソース事前調整結果を上記輻輳報告として上記ＰＣＲＦに送信するよう構成されている、
項目７に記載の基地局デバイス。
［項目９］
上記第１の受信ユニットは具体的に、上記無線周波数リソース調整ポリシを備える、上記ＰＣＲＦによって送信された調整予想結果諮詢要求情報を受信するよう構成されており、
上記第１の実行ユニットは、
上記無線周波数リソース調整ポリシについて、予想される調整を実行するよう構成された第２の実行ユニットと、
予想される調整結果を上記ＰＣＲＦに送信するよう構成された第２の送信ユニットと、
上記予想される調整結果に従って上記ＰＣＲＦによって送信されたポリシ実行指示を受信するよう構成された第２の受信ユニットとを有し、
上記第２の実行ユニットは更に、上記輻輳状態の上記ユーザ機器及び上記過剰にサービス提供された状態の上記ユーザ機器に対して、上記ポリシ実行指示によって指示された上記無線周波数リソース調整ポリシを実行するよう構成されている、項目７に記載の基地局デバイス。
［項目１０］
上記輻輳状態の上記ユーザ機器及び上記過剰にサービス提供された状態の上記ユーザ機器によって占有された複数の無線周波数リソースについての上記情報は、上記輻輳状態の上記ユーザ機器の平均レート及び上記過剰にサービス提供された状態の上記ユーザ機器の平均レートである、又は、上記輻輳状態の上記ユーザ機器の輻輳度によって、及び、上記過剰にサービス提供された状態の上記ユーザ機器のサービス提供過剰度によって表され、
上記輻輳度＝上記輻輳状態の上記ユーザ機器の上記平均レート／上記最小レート、であり、
上記サービス提供過剰度＝上記過剰にサービス提供された状態の上記ユーザ機器の上記平均レート／制限されたレート、であり、
上記制限されたレートは、上記ＰＣＲＦの選択ポリシに従って、少なくとも１つの制限されたレートから決定される、項目７から９の何れか一項に記載の基地局デバイス。
［項目１１］
基地局デバイスによって送信された輻輳報告を受信するよう構成された受信ユニットであって、上記輻輳報告は、少なくとも１つのユーザ機器における輻輳状態のユーザ機器についての情報と、少なくとも１つのユーザ機器における過剰にサービス提供された状態のユーザ機器についての情報と、上記輻輳状態の上記ユーザ機器及び上記過剰にサービス提供された状態の上記ユーザ機器によって占有された複数の無線周波数リソースについての情報とを備える、受信ユニットと、
上記輻輳報告及びユーザサービスポリシに従って、上記輻輳状態の上記ユーザ機器及び上記過剰にサービス提供された状態の上記ユーザ機器において無線周波数リソース調整を実行するポリシを生成するよう構成された生成ユニットと、
上記無線周波数リソース調整ポリシを上記基地局デバイスに送信するよう構成された送信ユニットと、
を備えるポリシ及び課金ルール機能ネットワーク要素ＰＣＲＦ。
［項目１２］
上記無線周波数リソース調整ポリシは、対応する制限を超える上記過剰にサービス提供された状態の上記ユーザ機器の上記複数の無線周波数リソースの一部を、上記輻輳状態の上記ユーザ機器に割り当てるよう、又は、上記輻輳状態の上記ユーザ機器における最も低い優先度を有するユーザ機器のサービスストリームの送信を停止するよう上記基地局デバイスに命令すべく使用される、項目１１に記載のＰＣＲＦ。
【図１】
0006425797.tif 000003
【図２ａ】
0006425797.tif 000004
【図２ｂ】
0006425797.tif 000005
【図３ａ】
0006425797.tif 000006
【図３ｂ】
0006425797.tif 000007
【図４ａ】
0006425797.tif 000008
【図４ｂ】
0006425797.tif 000009
【図５】
0006425797.tif 000010
【図６】
0006425797.tif 000011
【図７】
0006425797.tif 000012
【図８】
0006425797.tif 000013
【図９】
0006425797.tif 000014
【図１０】
0006425797.tif 000015
【図１１】
0006425797.tif 000016